(57)【特許請求の範囲】
【請求項１】
複数のレイヤ向けの信号を多重する多重化方法であって、
それぞれＮ行Ｎ列（Ｎは２以上の自然数）の第１の直交行列と第２の直交行列とを保持し、前記第２の直交行列は前記第１の直交行列の特定の行内のチップを循環シフトすることによって生成されるものであり、
前記第１の直交行列の各行のチップと第１のレイヤグループに含まれる各レイヤ向けの復調用参照信号とを乗算して、乗算結果をリソースブロック中の第１のサブキャリア群の同一時間帯に重畳してマッピングし、前記第２の直交行列の各行のチップと第２のレイヤグループに含まれる各レイヤ向けの復調用参照信号とを乗算して、乗算結果を前記第１のサブキャリア群とは異なる第２のサブキャリア群の同一時間帯に重畳してマッピングし、前記第１のレイヤグループ及び前記第２のレイヤグループはそれぞれＮ個のレイヤを含む、
多重化方法。
【請求項２】
前記Ｎは４であり、前記特定の行は、前記第１の直交行列の３行目及び４行目である、
請求項１記載の多重化方法。
【請求項３】
前記第１のサブキャリア群に含まれる複数のサブキャリアは、周波数軸において互いに離れた位置にあり、
前記第２のサブキャリア群に含まれる複数のサブキャリアは、周波数軸において互いに離れた位置にあり、前記第１のサブキャリア群に含まれる複数のサブキャリアのいずれとも周波数位置が異なる、
請求項１又は２に記載の多重化方法。
【請求項４】
前記第１のレイヤグループは第１のレイヤから第ＮのレイヤまでのＮ個のレイヤを含み、前記第１の直交行列と復調用参照信号との乗算は、前記第１の直交行列のＬ（Ｌは１以上Ｎ以下の自然数）行目と第Ｌのレイヤ向けの復調用参照信号とを乗算して行われ、
前記第２のレイヤグループは第（Ｎ＋１）のレイヤから第２ＮのレイヤまでのＮ個のレイヤを含み、前記第２の直交行列と復調用参照信号との乗算は、前記第２の直交行列のＭ（Ｍは１以上Ｎ以下の自然数）行目と第（Ｎ＋Ｍ）のレイヤ向けの復調用参照信号とを乗算して行われる、
請求項１から３いずれか一項に記載の多重化方法。
【請求項５】
前記第１のレイヤグループにおいて、前記第１のサブキャリア群に含まれる複数のサブキャリアのうち、奇数番目と偶数番目とで前記第１の直交行列との乗算の方向が逆であり、
前記第２のレイヤグループにおいて、前記第２のサブキャリア群に含まれる複数のサブキャリアのうち、奇数番目と偶数番目とで前記第２の直交行列との乗算の方向が逆であり、かつ、
前記第１のサブキャリア群に含まれる奇数番目のサブキャリアにおける乗算の方向と、前記第２のサブキャリア群に含まれる偶数番目のサブキャリアにおける乗算の方向とが同じである、
請求項１から４いずれか一項に記載の多重化方法。
【請求項６】
複数のレイヤ向けの信号を多重する多重化装置であって、
それぞれＮ行Ｎ列（Ｎは２以上の自然数）の第１の直交行列と第２の直交行列とを保持し、前記第２の直交行列は前記第１の直交行列の特定の行内のチップを循環シフトすることによって生成されるものである保持部と、
前記第１の直交行列の各行のチップと第１のレイヤグループに含まれる各レイヤ向けの復調用参照信号とを乗算して、乗算結果をリソースブロック中の第１のサブキャリア群の同一時間帯に重畳してマッピングし、前記第２の直交行列の各行のチップと第２のレイヤグループに含まれる各レイヤ向けの復調用参照信号とを乗算して、乗算結果を前記第１のサブキャリア群とは異なる第２のサブキャリア群の同一時間帯に重畳してマッピングし、前記第１のレイヤグループ及び前記第２のレイヤグループはそれぞれＮ個のレイヤを含むものであるマッピング部と、
を備える多重化装置。
【請求項７】
前記Ｎは４であり、前記特定の行は、前記第１の直交行列の３行目及び４行目である、
請求項６記載の多重化装置。
【請求項８】
前記第１のサブキャリア群に含まれる複数のサブキャリアは、周波数軸において互いに離れた位置にあり、
前記第２のサブキャリア群に含まれる複数のサブキャリアは、周波数軸において互いに離れた位置にあり、前記第１のサブキャリア群に含まれる複数のサブキャリアのいずれとも周波数位置が異なる、
請求項６又は７に記載の多重化装置。
【請求項９】
前記第１のレイヤグループは第１のレイヤから第ＮのレイヤまでのＮ個のレイヤを含み、前記第２のレイヤグループは第（Ｎ＋１）のレイヤから第２ＮのレイヤまでのＮ個のレイヤを含み、前記マッピング部において、
前記第１の直交行列と前記復調用参照信号との乗算は、前記第１の直交行列のＬ（Ｌは１以上Ｎ以下の自然数）行目と第Ｌのレイヤ向けの復調用参照信号とを乗算して行われ、
前記第２の直交行列と前記復調用参照信号との乗算は、前記第２の直交行列のＭ（Ｍは１以上Ｎ以下の自然数）行目と第（Ｎ＋Ｍ）のレイヤ向けの復調用参照信号とを乗算して行われる、
請求項６から８いずれか一項に記載の多重化装置。
【請求項１０】
前記第１のレイヤグループにおいて、前記第１のサブキャリア群に含まれる複数のサブキャリアのうち、奇数番目と偶数番目とで前記第１の直交行列との乗算の方向が逆であり、
前記第２のレイヤグループにおいて、前記第２のサブキャリア群に含まれる複数のサブキャリアのうち、奇数番目と偶数番目とで前記第２の直交行列との乗算の方向が逆であり、かつ、
前記第１のサブキャリア群に含まれる奇数番目のサブキャリアにおける乗算の方向と、前記第２のサブキャリア群に含まれる偶数番目のサブキャリアにおける乗算の方向とが同じである、
請求項６から９いずれか一項に記載の多重化装置。
【発明の詳細な説明】
【技術分野】
【０００１】
本開示は、通信分野の信号の多重化技術および逆多重化技術に関する。
【背景技術】
【０００２】
直交符号ベースの符号分割多重化（ＣＤＭ）技術は、無線通信の技術分野で広く応用されている。最も標準的なＣＤＭ技術は、異なる直交系列を使用することによって異なる信号を拡散して、異なる系列の間の直交属性を用いて、重畳された信号同士の間の干渉を除去するようにそれらの信号を重畳することである。この利点により、ＣＤＭ技術は、無線通信システムにおいて異なる信号を多重化するために広く応用されている。
【０００３】
図１（Ａ）から図１（Ｄ）は、長さが４チップのウォルシュ符号を使用したＣＤＭ多重化の原理を示す図である。図１（Ａ）に示されるように、ＣＤＭで使用される符号語は、互いに直交である。これは、異なる符号語同士の相関がゼロであることを意味する。図１（Ｂ）に示されるように、ＣＤＭ多重化では、異なる信号Ｓ１、Ｓ２、Ｓ３、Ｓ４は、それぞれ、異なる符号語に対応し、異なる信号は、それぞれ、対応する符号語内のチップで乗算される。乗算の結果は信号の拡散をもたらす。異なる信号によって得られた拡散は、多重化信号Ｗ、Ｘ、Ｙ、Ｚを形成するために重畳される。図１（Ｃ）に示されるように、多重化信号Ｗ、Ｘ、Ｙ、Ｚは、通信チャネル上で送信される。ＣＤＭによる信号の拡散は、時間領域または周波数領域のいずれかで実行することが可能である。図１（Ｄ）に示されるように、ＣＤＭ逆多重化では、ＣＤＭ拡散後の信号は、元の信号Ｓ１、Ｓ２、Ｓ３、Ｓ４を復元するために、対応する符号語との相関がとられる。
【０００４】
直交符号を使用するＣＤＭ多重化では、異なる直交符号語間の直交性は、通常の直交ＣＤＭの最も重要な特性である。無線通信において最も広く使用されている直交符号はウォルシュ符号であり、その符号の長さは、２、４、８、１６、…（２の累乗）であり得る。異なる直交符号語は、直交行列を形成することができる。
【０００５】
図２は、異なる基地局が無線通信システム内で複数のデータストリームを移動端末に送信することを示す概略図である。
【０００６】
図２に示されるように、隣接する基地局２０１および２０２は、それぞれ、複数のアンテナを備え、空間多重により複数のデータストリームを移動端末２０３にそれぞれ送信することが可能である。データストリームは、複数のレイヤに分割されることが可能である。例えば、各データストリームは、データストリームの２つ以上のレイヤを含むことが可能である。ここでは、各データストリームが、データストリームの第１レイヤおよびデータストリームの第２レイヤをそれぞれ含むことが示されている。
【０００７】
図３は、無線通信システム内で基地局から移動端末に送信されたデータストリームを構成するリソースブロックの一例を示す図である。
【０００８】
図３には、データストリームを構成する１個のリソースブロック（ＲＢ）が示されている。リソースブロックの横軸は時間を表し、縦軸は周波数を表す。横軸は、横軸を起点として縦軸に沿って１個のＯＦＤＭシンボルを形成する１４個のセグメントに分割される。縦軸は、縦軸を起点として横軸に沿った１個のサブキャリアである１２個のセグメントに分割される。リソースブロック内の小さな正方形の各々は、１個のリソース単位を表す。リソースブロック内の１２×１４個のリソース単位のすべてが、横軸上で１個のサブフレームを構成する。リソースブロック内のこれらのリソース単位のうち、最初の３列は、制御データを送信するための制御領域を構成する。格子線のない他のリソース単位は、データ信号を転送するために使用される。複数のアンテナを備える同一基地局内、例えば、基地局２０１内において、空間多重によって、複数のデータストリームを移動端末２０３に送信することが可能である。複数のデータストリームは、それぞれ、異なるレイヤに配置され、リソースブロックのデータストリームの各レイヤは、同一時間リソースおよび周波数リソースを使用することが可能である。例えば、基地局２０１の複数のアンテナは、空間変調を介して、データストリームの２つのレイヤ、すなわち、データストリームの第１レイヤおよびデータストリームの第２レイヤを移動端末２０３に送信することが可能である。データストリームの各レイヤ内の対応するリソースブロックは、同一時間リソース内および同一周波数リソース内に、すなわち、同一時間および周波数であるが異なるプリコーディング方法を使用して配置可能である。
【０００９】
格子線によって表されるリソース単位３０１は、セル固有の個別チャネルの復調用参照信号（ＤＭＲＳ）を送信するために使用される。復調用参照信号は、移動端末内のリソースブロック内で転送されるデータ信号を復調するために使用される。ここで、各リソースブロックは、所定の時間位置および周波数位置に分散された複数の復調用参照信号を含む。時間上および周波数上で重畳された複数のレイヤ内のデータを正確に復調するために、LTEおよびLTE-Advanced(LTE-A)では、重畳されたデータレイヤに関して互いに直交である復調用参照信号（ＤＭＲＳ）が提供される。
【００１０】
図４は、直交行列を使用することによって復調用参照信号の異なるレイヤが多重化される一例を示す。
【００１１】
図４は、LTE Release-9標準の一例である。［１，１］および［１，−１］など、符号長２を有するウォルシュ符号は、互いに直交である復調用参照信号の２つのレイヤを多重化するために使用される。詳細には、ウォルシュ符号［１，１］は、リソースブロックの第１レイヤ内の各復調用参照信号に乗算され、ウォルシュ行列の第２の符号［１，−１］は、リソースブロックの第２レイヤ内の各復調用参照信号に乗算される。
【００１２】
図５は、復調用参照信号の２つのレイヤを多重化するために［１，１］および［１，−１］など、符号長２を有するウォルシュ符号が使用された後のリソースブロックの一部分を示す図である。
【００１３】
１個のリソースブロック上の直交復調用参照信号の２つのレイヤを多重化した後の結果が図５に示される。分かりやすくするために、図５は、リソースブロックの一部だけを示す。図５では、リソースブロックの第１レイヤ内の復調用参照信号に関するプリコーディング係数はＡであり、リソースブロックの第２レイヤ内の復調用参照信号に関するプリコーディング係数はＢであると仮定する。復調用参照信号が配置された隣接する２個のＯＦＤＭシンボルにおいて、１個は常にＡ＋Ｂの値を有し、もう１個は常にＡ−Ｂの値を有する。Ａ＝Ｂのとき、１個のシンボルは常に（Ａ＋Ｂ）のピーク値を有し、もう１個のシンボルは常にゼロの値を有する。しかし、基地局内の電力増幅器（ＰＡ）の利用効率を確実にするために、時間（すなわち、異なるＯＦＤＭシンボル同士の間）に関する放射強度の電力変動は、可能な限り小さいことが必要とされる。上記復調用参照信号の直交多重化符号からリソースブロックへのマッピング方法が用いられる場合、（図５に示されるように）Ａ＝Ｂのとき、ピーク値およびゼロ値は、復調用参照信号を含むＯＦＤＭシンボル内で交互に出現し、これは、異なるＯＦＤＭシンボル同士の間の電力変動を増大させることになる。この問題に対処するために、図６に示されるようなマッピング方法がLTE Release-9において実際に用いられている。
【００１４】
図６は、LTE Release-9における直交符号に基づく符号分割多重化の実際のマッピング方法を示す。
【００１５】
図６では、ＲＢ１およびＲＢ２は、周波数領域で隣接する２個のリソースブロックである。マッピング方法の特性は、符号語［１，−１］を用いて多重化された復調用参照信号の場合、リソースブロック上のそのマッピングは、異なるサブキャリア上で交互に反転することである。そのようなマッピング方法の結果が図７に示される。
【００１６】
図７は、LTE Release-9において、復調用参照信号の２つのレイヤを多重化するために、［１，１］および［１，−１］など、符号長２を有するウォルシュ符号が使用された後のリソースブロックの一部分を示す図である。
【００１７】
図５と図７とを比較することによって、ピーク値（Ａ＋Ｂ）およびゼロ値は、Ａ＝Ｂのとき、異なるＯＦＤＭシンボル上で交互に出現する。これは電力増幅器への電力変動の影響を削減することが容易に理解されよう。
【発明の概要】
【発明が解決しようとする課題】
【００１８】
しかし、符号分割多重化に関する復調用参照信号のレイヤ数が多数であるとき、ピーク値およびゼロ値を図４に示されるように均一に分散できない場合が依然として存在する。
【課題を解決するための手段】
【００１９】
本開示は、上記の態様を考慮して行われる。
【００２０】
本開示の一態様によれば、直交行列を使用することによって、リソースブロックの複数のレイヤ内の復調用参照信号の符号分割多重化を実行する、直交符号に基づく符号分割多重化方法であって、第１の直交行列の特定の行内のチップの順序を変更して、前記変更されたチップの順序を有する第２の直交行列を取得するステップと、前記第２の直交行列の各行内の前記チップと、前記リソースブロックの対応するレイヤ内の前記復調用参照信号とを、時間方向で乗算して、符号分割多重化信号を取得するステップと、を含む符号分割多重化方法が提供される。
【００２１】
本開示の別の態様によれば、直交行列を使用することによって、リソースブロックの複数のレイヤ内の符号分割多重化信号を逆多重化する逆多重化方法であって、前記リソースブロックの複数のレイヤ内で前記符号分割多重化信号を受信するステップと、前記直交行列の各行内のチップと、前記リソースブロックの対応するレイヤ内の前記符号分割多重化信号とを、時間方向で乗算して、復調用参照信号を取得するステップと、を含み、前記直交行列は、他の直交行列の特定の行内のチップの順序を変更することによって取得されている逆多重化方法が提供される。
【００２２】
本開示のさらなる態様によれば、直交行列を使用することによって、リソースブロックの複数のレイヤ内の復調用参照信号の符号分割多重化を実行する、直交符号に基づく符号分割多重化装置であって、第１の直交行列の特定の行内のチップの順序を変更して、前記変更されたチップの順序を有する第２の直交行列を取得する処理部と、前記第２の直交行列の各行内の前記チップと、前記リソースブロックの対応するレイヤ内の前記復調用参照信号とを、対応する時間方向で乗算して、符号分割多重化信号を取得する多重化部と、を含む符号分割多重化装置が提供される。
【００２３】
本開示のさらに別の態様によれば、直交行列を使用することによって、リソースブロックの複数のレイヤ内の符号分割多重化信号を逆多重化する逆多重化装置であって、前記リソースブロックの複数のレイヤ内で前記符号分割多重化信号を受信する受信部と、前記直交行列の各行内の前記チップと、前記リソースブロックの対応するレイヤ内の前記符号分割多重化信号とを、対応する時間方向で乗算して、復調用参照信号を取得する逆多重化部と、を含み、前記直交行列は、他の直交行列の特定の行内のチップの順序を変更することによって取得されている逆多重化装置が提供される。
【発明の効果】
【００２４】
本開示の方法および装置によれば、ピーク値およびゼロ値の分散を時間領域で均一にすることが可能であり、LTE Release-9の前方互換性（forward compatibility）を維持することが可能である。すなわち、復調用参照信号の第１レイヤおよび第２レイヤは、Release-9のマッピング方法を使用して、時間領域および周波数領域の双対直交性（dual-orthogonality）を有する。これによって、時間上のダウンリンク信号の電力変動状況を改善することが可能であり、基地局側の電力増幅器の利用効率を改善することが可能であり、復調用参照信号は時間選択性フェージングチャネルおよび周波数選択性フェージングチャネルにおいてロバストである。
【００２５】
本開示のこれらの態様および利点、ならびに／またはその他の態様および利点は、添付の図面と共に、下の本開示の実施形態の詳細な説明においてより明確になり、より容易に理解されよう。
【図面の簡単な説明】
【００２６】
【図１】直交符号に基づくＣＤＭ多重化およびＣＤＭ逆多重化の特性が４チップのウォルシュ符号の一例に基づいて例示されることを示す図
【図２】異なる基地局が無線通信システム内で複数のデータストリームを移動端末に送信することを示す概略図
【図３】無線通信システム内で基地局から移動端末に送信されたデータストリームを構成するリソースブロックの一例を示す図
【図４】復調用参照信号の異なるレイヤが直交行列を使用することによって多重化される一例を示す図
【図５】復調用参照信号の２つのレイヤが、［１，１］および［１，−１］など、符号長２を有するウォルシュ符号を使用することによって多重化された後のリソースブロックの一部分を示す図
【図６】LTE Release-9における直交符号に基づく符号分割多重化の実際のマッピング方法を示す図
【図７】LTE Release-9において、復調用参照信号の２つのレイヤが、［１，１］および［１，−１］など、符号長２を有するウォルシュ符号を使用することによって多重化された後のリソースブロックの一部分を示す図
【図８】LTE-A Release-10におけるリソースブロックの復調用参照信号の一例を示す図
【図９】異なるサブキャリアが、時間方向で交互に逆方向に多重化されることを示す図
【図１０】本開示の実施の形態１による無線通信システムの符号分割多重化装置を示すブロック図
【図１１】非直交行列を得るために、ウォルシュ行列内の行の一部のチップの順序が交換される一例を示す図
【図１２】直交行列を得るために、ウォルシュ行列内の行の一部のチップの順序が循環シフトされる一例を示す図
【図１３】本実施形態による符号分割多重化の直交行列が取得されることを示す別の図
【図１４】本実施形態に従って符号分割多重化の直交行列が取得されることを示すさらなる図
【図１５】本開示の一実施形態による、直交符号に基づく符号分割多重化の一例を示す図
【図１６】本開示の直交多重化方法に関して循環シフトが実行されるリソースブロックに関して示される一例を示す図
【図１７】本開示の直交符号に基づく符号分割多重化方法の効果を示す図
【図１８】本開示の第２の実施形態による、リソースブロックの第５レイヤ内から第８レイヤ内の復調用参照信号の符号分割多重化方法を示す図
【図１９】本開示の一実施形態による無線通信システムの逆多重化装置を示すブロック図
【図２０】本実施形態による、直交符号に基づく符号分割多重化方法の流れ図
【図２１】本実施形態による逆多重化方法の流れ図
【図２２】４ポイント離散フーリエ変換行列の一例を示す図
【図２３】図２２で取得された直交行列Ａ２に基づいて第１の実施形態の方法を繰り返すことによって取得される複素領域の直交符号マッピング方式を示す図
【図２４】本開示の第７の実施形態による図
【図２５】拡張循環プレフィックスを有するサブフレームを示す図
【図２６】図２５に示される復調用参照信号の直交符号マッピング方式を示す図
【発明を実施するための形態】
【００２７】
以下の説明において、本開示のいくつかの特定の実施形態は、添付の図面を参照して詳細に説明される。関係する先行技術の詳細な説明が本開示の要点を混乱させる可能性がある場合、その詳細な説明は本明細書で提供されない。それぞれの実施形態では、同じ機能を実行するための要素または構成部を示すために同一の参照番号が使用される。
【００２８】
図８は、LTE-A Release-10標準におけるリソースブロックの復調用参照信号の一例を示す。
【００２９】
LTE-A Release-10標準では、最大で８レイヤのデータを１個のリソースブロック上で多重化することが可能である。図８に示されるように、リソースブロックの第１レイヤから第４レイヤ内の復調用参照信号、およびリソースブロックの第５レイヤから第８レイヤ内の復調用参照信号は、隣接するサブキャリア上に配置される。多重化されるレイヤ数が４レイヤを超えるとき（例えば、多重化されるレイヤ数が５レイヤから８レイヤであるとき）、第１レイヤから第４レイヤ内の復調用参照信号と、第５レイヤから第８レイヤ内の復調用参照信号とをそれぞれ多重化するために、長さが４チップのウォルシュ系列を使用することが可能である。図８では、第１レイヤから第４レイヤ内の復調用参照信号と、第５レイヤから第８レイヤ内の復調用参照信号との間で実行されるのは周波数分割多重（ＦＤＭ）である。すなわち、これらの復調用参照信号は、それぞれ、異なるサブキャリア上に配置される。第１レイヤから第４レイヤ内の復調用参照信号に関する多重化方法（マッピング方法）を第５レイヤから第８レイヤ内の復調用参照信号の多重化に適用することも可能である。Release-10において、多重化されるレイヤ数が複数レイヤである場合、ピーク値およびゼロ値の分散が上述のように均一でないという問題が依然として存在する。
【００３０】
図９は、異なるサブキャリアに対して時間方向で交互に逆方向に実行される多重化を示す図である。
【００３１】
図９では、右側に、符号長４を有する直交行列、すなわち、ウォルシュ直交符号行列Ａ
【数１】
0005475186.tif 000002
が示されている。
【００３２】
この行列は、４行および４列のチップを含み、それぞれの列の４個のチップは、それぞれ、第１レイヤから第４レイヤ内のそれぞれの復調用参照信号に対応する。Release-9の解決策によれば、ウォルシュ符号のマッピング方向は、周波数領域上で交互に反転する。
【００３３】
具体的には、第１のサブキャリアＦ１上では、第１レイヤ内の４個の復調用参照信号には、時間軸の正方向（ここで示されるように左から右への方向）に直交行列の第１の行内の第１の列から第４の列に４個のチップ、すなわち、［１，１，１，１］がそれぞれ乗算される。第２レイヤ内の４個の復調用参照信号には、時間軸の正方向に直交行列の第２の行内の第１の列から第４の列の４個のチップ、すなわち、［１，−１，１，−１］がそれぞれ乗算される。第３レイヤ内の４個の復調用参照信号には、時間軸の正方向に直交行列の第３の行内の第１の列から第４の列の４個のチップ、すなわち、［１，１，−１，−１］がそれぞれ乗算される。第４レイヤ内の４個の復調用参照信号には、時間軸の正方向に直交行列の第４の行内の第１の列から第４の列の４個のチップ、すなわち、［１，−１，−１，１］がそれぞれ乗算される。このとき、第１番目のサブキャリアＦ１上で、リソースブロックの第１レイヤから第４レイヤ内で同じ時間位置および周波数位置に配置された復調用参照信号の重畳値は、それぞれ、時間軸の正方向にａ、ｂ、ｃ、ｄである。リソースブロックの第１レイヤから第４レイヤ内の復調用参照信号に関するプリコーディング係数が同じである場合、第１のサブキャリア上において、ＯＦＤＭシンボル９０１に位置する重畳値「ａ」は最大のピーク値である一方、ＯＦＤＭシンボル９０２、９０３、および９０４に位置する重畳値はゼロであることが分かる。
【００３４】
第２のサブキャリアＦ２上でで、第１レイヤ内の４個の復調用参照信号には、時間軸の逆方向（ここで示されるように右から左への方向）に直交行列の第１の行内の第１の列から第４の列の４個のチップ、すなわち、［１，１，１，１］がそれぞれ乗算される。第２レイヤ内の４個の復調用参照信号には、時間軸の逆方向に直交行列の第２の行内の第１の列から第４の列の４個のチップ、すなわち、［１，−１，１，−１］がそれぞれ乗算される。第３レイヤ内の４個の復調用参照信号には、時間軸の逆方向に直交行列の第３の行内の第１の列から第４の列の４個のチップ、すなわち、［１，１，−１，−１］がそれぞれ乗算される。第４レイヤ内の４個の復調用参照信号には、時間軸の逆方向に直交行列の第４の行内の第１の列から第４の列の４個のチップ、すなわち、［１，−１，−１，１］がそれぞれ乗算される。このとき、第２のサブキャリアＦ２上で、リソースブロックの第１レイヤから第４レイヤ内で同じ時間位置および周波数位置に配置された復調用参照信号の重畳値は、それぞれ、時間軸の正方向にｄ、ｃ、ｂ、ａである。リソースブロックの第１レイヤから第４レイヤ内の復調用参照信号に関するプリコーディング係数が同じである場合、第２のサブキャリア上において、ＯＦＤＭシンボル９０４に位置する重畳値「ａ」は最大ピーク値である一方、他のＯＦＤＭシンボル９０１、９０２、および９０３に位置する重畳値はゼロであることが分かる。
【００３５】
第３のサブキャリアＦ３、第４のサブキャリアＦ４、第５のサブキャリアＦ５、および第６のサブキャリアＦ６などに関して、第１のサブキャリアＦ１および第２のサブキャリアＦ２に関する上記のプロセスがそれぞれ繰り返される。
【００３６】
図９に示される多重化方法は２つの利点を有する。１つは、Release-9に関する前方互換性が維持されることである。復調用参照信号の第１レイヤおよび第２レイヤは、周波数領域で交互に逆方向であるRelease-9の特性を維持する。もう１つは、時間領域および周波数領域に直交特性が同時に存在することである。この結果、時間領域の直交特性が破壊されたとき（時間領域で選択的にフェージングするとき）、周波数領域の直交特性を介して逆多重化を実行することが可能である。
【００３７】
しかし、上記の多重化（マッピング）方法では、リソースブロックの第１レイヤから第４レイヤ内の復調用参照信号に関するプリコーディング係数が同じ場合、それらの復調用参照信号を含む任意のサブキャリアに関して、最大重畳ピーク値「ａ」は、ＯＦＤＭシンボル９０１上およびＯＦＤＭシンボル９０４上だけに出現し、他のＯＦＤＭシンボル９０２および９０３に位置する重畳値はゼロであると理解することもできる。そのようなマッピング方法では、ピーク値およびゼロ値を平均化する効果は良好ではなく、その効果は（異なるＯＦＤＭシンボル同士の間の）時間に関する電力変動を依然としてより大きくする。これは、基地局側の電力増幅器の利用効率に不利である。したがって、図９に示されるようなマッピング方法の改善が依然として必要とされる。図９に示されるようなマッピング方法の改善は、以下の３つの条件を同時に満たすべきである。すなわち、１．ピーク値およびゼロ値を時間領域で平均化することが可能であること、２．Release-9の前方互換性を維持することが可能であること、すなわち、復調用参照信号の第１レイヤおよび第２レイヤに対してRelease-9のマッピング方法を使用すること、３．時間領域および周波数領域で双対直交性が保持されること。
【００３８】
本開示では、第１のサブキャリアＦ１および第２のサブキャリアＦ２などは、リソースブロックで完全に隣接するサブキャリアではなく、その間にはデータを転送する他のサブキャリアが存在するが、これらのサブキャリアは、復調用参照信号を用いて変調されたサブキャリアで隣接している。したがって、これらのサブキャリアは、以下、復調用参照信号を搬送する「隣接するサブキャリア」と呼ばれる。
【００３９】
本開示は、直交符号に基づく符号分割多重化方法、ならびに無線通信システム内でそのような方法を使用する符号分割多重化装置および逆多重化装置を提供する。本開示によって提供される直交符号に基づく多重化方法は、以下の特性を有する。すなわち、異なるレイヤ内の復調用参照信号は異なるマッピング方法を使用することが可能である。すなわち、それらの復調用参照信号は、異なる直交行列を使用する。しかし、図９では、異なるレイヤ内の復調用参照信号は、同じサブキャリア上で同じマッピング方法を使用し、それらの復調用参照信号は、異なるサブキャリア上のみで異なるマッピング方法を使用する。
【００４０】
（実施の形態１）
図１０は、本開示の第１の実施形態による無線通信システムの符号分割多重化装置を示すブロック図である。
【００４１】
図１０に示されるように、本開示による符号分割多重化装置１０００は、互いに接続された、処理部１００２および多重化部１００６を含む。
【００４２】
本開示による符号分割多重化装置１０００は、様々なデータを処理して、符号分割多重化装置１０００内の各構成部の動作を制御するための関連プログラムを実行する中央処理装置（ＣＰＵ）１０１０、ＣＰＵ１０１０が様々な処理および制御を実行するために必要とされる様々なプログラムを格納するＲＯＭ（Read Only Memory）１０１３、処理および制御の手順においてＣＰＵ１０１０によって一時的に生成される中間データを格納するＲＡＭ（Random Access Memory）１０１５、外部装置と接続して、外部装置と符号分割多重化装置１０００との間で様々なデータをトランスポートする入出力（Ｉ／Ｏ）部１０１６などを含むことも可能である。上記処理部１００２、多重化部１００６、ＣＰＵ１０１０、ＲＯＭ１０１３、ＲＡＭ１０１５、Ｉ／Ｏ部１０１６などは、データ／コマンドバス１０２０を介して接続され、互いに信号を転送する。
【００４３】
上述した各構成部は、本開示の範囲を限定しない。本開示の一実施形態によれば、処理部１００２および多重化部１００６のいずれの機能も、上記のＣＰＵ１０１０、ＲＯＭ１０１３、ＲＡＭ１０１５、Ｉ／Ｏ部１０１６などと組み合わせて機能するソフトウェアによって実現することも可能である。処理部１００２および多重化部１００６の機能は、それらを組み合わせて１個の構成部にまとめることによって実現することも可能である。
【００４４】
本開示の符号分割多重化装置１０００は、リソースブロックの複数のレイヤ内の復調用参照信号の符号分割多重化を実行するために、ウォルシュ符号行列など、直交行列を使用する。本開示の符号分割多重化装置１０００では、処理部１００２は、直交行列（第１の直交行列）の特定の行のチップの順序を変更して、変更されたチップの順序を有する他の直交行列（第２の直交行列）を取得する。多重化部１００６は、第２の直交行列の各行のチップと、リソースブロックの対応するレイヤ内の復調用参照信号とを、対応する時間方向に乗算して、符号分割多重化信号を取得する。ここでは、特定の行は、直交行列の行のすべてであってよく、または一部であってもよい。
【００４５】
同じサブキャリア上の異なるレイヤ内の復調用参照信号に対して異なるマッピング方法を用いることは、ウォルシュ行列（直交行列）の特定の行または列を置換することに等しい。ただし、そのような動作（置換）は、時として非直交行列を生み出す点に留意されたい。
【００４６】
図１１は、ウォルシュ行列の特定の行内のチップの順序が変更されて、非直交行列が生成される一例を示す。
【００４７】
図１１では、直交行列Ａの最後の２行内の第１のチップの列
【数２】
0005475186.tif 000003
が、直交行列の最後の２行内の第４のチップの列
【数３】
0005475186.tif 000004
と交換されて、行列Ｂが生成される。行列Ｂは非直交行列であることが分かる。本開示では、このようなケースは回避されるべきである。
【００４８】
本開示では、時間領域における異なるレイヤ内の復調用参照信号の直交特性が第一に確保されるべきである。
【００４９】
図１２は、直交行列を生成するために、ウォルシュ行列の特定の行内のチップが循環シフトされる一例を示す。
【００５０】
ウォルシュ行列Ａの最後の２行内のチップの列が循環シフトされた場合、図１２に示されるように直交行列が生成されることになる。図１２では、直交行列Ａの最後の２行内の第１のチップの列から第４のチップの列が、時間軸（ここでは、左から右への方向と見なす）の正方向に１列だけ循環シフトされて、右側の行列Ｃを取得することができ、行列Ｃの最後の２行内の第１のチップの列から第４のチップの列が時間軸の正方向に１列だけ循環シフトされて、右側の行列Ｄを取得することができ、行列Ｄの最後の２行内の第１のチップの列から第４のチップの列が時間軸の正方向に１列だけ循環シフトされて、右側の行列Ｅを取得することができる。行列Ｃ、Ｄ、およびＥはすべて直交行列であることが分かる。
【００５１】
ここで、直交行列Ｅは、直交行列Ａの最後の２行内の第１のチップの列から第４のチップの列を時間軸の逆方向に１列だけ循環シフトすることによって取得される行列に等しい点に留意されたい。
【００５２】
本開示の一実施形態によれば、処理部１００２は、第１の直交行列（直交行列Ａ）の一部の行内のチップを時間軸の正方向または逆方向に循環シフトすることによってチップの順序を変更して、第２の直交行列（直交行列Ｃ、Ｄ、Ｅ）を取得することが可能である。さらに、多重化部１００６は、リソースブロックの各レイヤ内の隣接するサブキャリア内の復調用参照信号を時間方向に交互に逆方向に第２の直交行列の第１の列から最後の列のチップで乗算する。
【００５３】
本開示による第１の直交行列または第２の直交行列は、上記の状況に限定されず、第１の直交行列は、以下の直交行列のうちのいずれか１つであってよく、第２の直交行列は、第１の直交行列以外の行列であってよい。
【数４】
0005475186.tif 000005
【数５】
0005475186.tif 000006
【数６】
0005475186.tif 000007
【数７】
0005475186.tif 000008
【００５４】
図１３は、本実施形態による、符号分割多重化に関する直交行列を示す別の図である。
【００５５】
本開示の一実施形態によれば、第１の直交行列の一部の行と非ゼロ数とを乗算して、各行内のチップを時間軸の正方向または逆方向に循環シフトすることによって、チップの順序を変更することも可能である。図１３に示されるように、行列Ａ（第１の直交行列）は、標準的なウォルシュ行列であり、直交行列である行列Ａ１を取得するために、行列Ａの第２の行と（−１）とが乗算される。行列Ａ１の列は、行列Ａ２（第２の直交行列）を取得するために、右方向に（時間軸の正方向に）１ビットだけ循環シフトされる。行列Ａ２は、図１２に示されるように直交行列Ｃである。同じ方法に従って、行列Ａ１の列は、左方向に（時間軸の逆方向に）１ビットだけ循環シフトされて、図１２に示されるように、直交行列Ｅ（第２の直交行列）が取得される。
【００５６】
図１４は、本実施形態による、符号分割多重化に関する直交行列を示すさらなる図である。
【００５７】
図１４に示されるように、行列Ａ（第１の直交行列）のある行またはいくつかの行と非ゼロ数（実数または複素数）、例えば、図１４に示される（任意の非ゼロ数であってよい）ａ、ｂ、ｃとを乗算することによって取得される行列Ａ１は、依然として直交行列である。Ａ２（第２の直交行列）を取得するために、行列Ａ１に対して行または列の交換が実行される。図１３および図１４では、Ａ１からＡ２への変更は列の循環シフトによるが、Ａ１の行または列の任意の交換およびシフトが直交行列を生成するのは、Ａ１自体が直交行列であることによる。
【００５８】
本開示の一実施形態によれば、処理部１００２は、第１の直交行列（直交行列Ａ）の一部の行と非ゼロ数とを乗算し、次いで、各行内のチップを時間軸の正方向または逆方向に循環シフトすることによってチップの順序を変更して、第２の直交行列（直交行列Ｃ、Ｄ、Ｅ）を取得することも可能である。さらに、多重化部１００６は、リソースブロックの各レイヤ内の隣接するサブキャリア内の復調用参照信号を時間方向に交互に逆方向に第２の直交行列の第１の列内から最後の列内のチップで乗算する。
【００５９】
上記の図１２から図１４より、例えば、上述されたようなＡ、Ｃ、Ｄ、Ｅなどの任意の行列は、基本行列（第１の直交行列）と見なすことができ、他の直交行列を取得するために、その行列の特定の行内のチップが循環シフトされる点を理解されよう。
【００６０】
本開示の一実施形態によれば、直交行列はＮ行×Ｎ列のチップを含み、リソースブロックの複数のレイヤは、リソースブロックのＮ個のレイヤを含む（リソースブロックのＮ個のレイヤ内の復調用参照信号が同じ所定の時間位置および周波数位置に配置される）場合、多重化部１００６は、第２の直交行列の第ｎ番目の行内の各チップの列と、リソースブロックの第ｎ番目のレイヤ内の復調用参照信号とを、対応する時間方向で乗算することが可能である。ここで、ｎ＝１、…、Ｎであり、Ｎは自然数であってよい。
【００６１】
図１５は、本開示の一実施形態による、直交符号に基づく符号分割多重化の一例を示す。
【００６２】
図１５では、Ｎ＝４の例、すなわち、直交行列が４×４の次数の直交行列であり、リソースブロックの複数のレイヤが４レイヤのリソースブロックを含む例が示されている。
【００６３】
ここでは、第１のリソースブロックＲＢ１を例にとる。第１のサブキャリアＦ１上のリソースブロックの第１レイヤから第４レイヤ内の復調用参照信号の場合、直交行列Ｃを取得するために、直交行列Ａの最後の２行内のチップが時間軸の正方向に１列だけ循環シフトされる。第１のサブキャリアＦ１上のリソースブロックの第１レイヤから第４レイヤ内の復調用参照信号には、時間軸の正方向（Ｔ１→Ｔ２→Ｔ３→Ｔ４の方向）に直交行列Ｃの第１のチップの列から第４のチップの列がそれぞれ乗算される。
【００６４】
詳細には、第１のサブキャリアＦ１の場合、リソースブロックの第１レイヤ内の復調用参照信号には、直交行列Ｃの第１の行内の第１のチップの列から第４のチップの列、すなわち、［１，１，１，１］が時間軸の正方向にそれぞれ乗算される。リソースブロックの第２レイヤ内の復調用参照信号には、直交行列Ｃの第２の行内の第１のチップの列から第４のチップの列、すなわち、［１，−１，１，−１］が時間軸の正方向にそれぞれ乗算される。リソースブロックの第３レイヤ内の復調用参照信号は、直交行列Ｃの第３の行内の第１チップの列から第４のチップの列、すなわち、［−１，１，１，−１］が時間軸の正方向にそれぞれ乗算される。リソースブロックの第４レイヤ内の復調用参照信号には、直交行列Ｃの第４の行内の第１のチップの列から第４のチップの列、すなわち、［１，１，−１，−１］が時間軸の正方向にそれぞれ乗算される。
【００６５】
第２のサブキャリアＦ２上のリソースブロックの第１レイヤから第４レイヤ内の復調用参照信号の場合、直交行列Ｃを取得するために、直交行列Ａの最後の２行内のチップが時間軸の正方向に１列だけ循環シフトされる。第２のサブキャリアＦ２上のリソースブロックの第１レイヤから第４レイヤ内の復調用参照信号には、時間軸の逆方向（Ｔ４→Ｔ３→Ｔ２→Ｔ１の方向）に直交行列Ｃの第１のチップの列から第４のチップの列がそれぞれ乗算される。
【００６６】
詳細には、第２のサブキャリアＦ２の場合、リソースブロックの第１レイヤ内の復調用参照信号には、直交行列Ｃの第１の行内の第１のチップの列から第４のチップの列、すなわち、［１，１，１，１］が時間軸の逆方向にそれぞれ乗算される。リソースブロックの第２レイヤ内の復調用参照信号には、直交行列Ｃの第２の行内の第１のチップの列から第４のチップの列、すなわち、［１，−１，１，−１］が時間軸の逆方向にそれぞれ乗算される。リソースブロックの第３レイヤ内の復調用参照信号には、直交行列Ｃの第３の行内の第１のチップの列から第４のチップの列、すなわち、［−１，１，１，−１］が時間軸の逆方向にそれぞれ乗算される。リソースブロックの第４レイヤ内の復調用参照信号には、直交行列Ｃの第４の行内の第１のチップの列から第４のチップの列、すなわち、［１，１，−１，−１］が時間軸の逆方向にそれぞれ乗算される。ここでは、第２のサブキャリア上の各レイヤ内の復調用参照信号と、直交行列Ｃの第１のチップの列から第４のチップの列とを時間軸の逆方向に乗算することは、第２のサブキャリア上の各レイヤ内の復調用参照信号と、直交行列Ｃ’の第１のチップの列から第４のチップの列とを時間軸の正方向に乗算することに等しい。直交行列Ｃ’は、直交行列Ｃの第１のチップの列から第４のチップの列を逆に配置することによって取得される直交行列に等しい。
【００６７】
第３のサブキャリアＦ３上のリソースブロックの第１レイヤから第４レイヤ内の復調用参照信号に関して、第１のサブキャリアＦ１上のリソースブロックの第１レイヤから第４レイヤ内の復調用参照信号の動作と同じ動作が繰り返される。
【００６８】
本開示の一実施形態によれば、以下の符号分割多重化方法を用いることも可能である。
【００６９】
ここで、第２のリソースブロックＲＢ２を例にとる。第１のサブキャリアＦ１上のリソースブロックの第１レイヤから第４レイヤ内の復調用参照信号の場合、直交行列Ｅを取得するために、直交行列Ａの最後の２行内のチップは、時間軸の逆方向に１列だけ循環シフトされる。第１のサブキャリアＦ１上のリソースブロックの第１レイヤから第４レイヤ内の復調用参照信号は、時間軸の逆方向（Ｔ４→Ｔ３→Ｔ２→Ｔ１の方向）に直交行列Ｅの第１のチップの列から第４のチップの列でそれぞれ乗算される。
【００７０】
詳細には、第１のサブキャリアＦ１の場合、リソースブロックの第１レイヤ内の復調用参照信号には、直交行列Ｅの第１の行内の第１のチップの列から第４のチップの列、［１，１，１，１］が時間軸の逆方向にそれぞれ乗算される。リソースブロックの第２レイヤ内の復調用参照信号には、直交行列Ｅの第２の行内の第１のチップの列から第４のチップの列、［１，−１，１，−１］が時間軸の逆方向にそれぞれ乗算される。リソースブロックの第３レイヤ内の復調用参照信号には、直交行列Ｅの第３の行内の第１のチップの列から第４のチップの列、［１，−１，−１，１］が時間軸の逆方向にそれぞれ乗算される。リソースブロックの第４レイヤ内の復調用参照信号には、直交行列Ｅの第４の行内の第１のチップの列から第４のチップの列、［−１，−１，１，１］が時間軸の逆方向にそれぞれ乗算される。ここでは、第１のサブキャリアの各レイヤ内の復調用参照信号を時間軸の逆方向に直交行列Ｅの第１のチップの列から第４のチップの列で乗算することは、第１のサブキャリア上の各レイヤ内の復調用参照信号を時間軸の正方向に直交行列Ｅ’の第１のチップの列から第４のチップの列で乗算することに等しい。直交行列Ｅ’は、直交行列Ｅの第１のチップの列から第４のチップの列を逆に配置することによって取得される直交行列に等しい。
【００７１】
第２のサブキャリアＦ２上のリソースブロックの第１レイヤから第４レイヤ内の復調用参照信号の場合、直交行列Ｅを取得するために、直交行列Ａの最後の２行内のチップは、時間軸の逆方向に１列だけ循環シフトされる。第２のサブキャリアＦ２上のリソースブロックの第１レイヤ内から第４レイヤ内の復調用参照信号は、時間軸の正方向（Ｔ１→Ｔ２→Ｔ３→Ｔ４の方向）に直交行列Ｅの第１のチップの列から第４のチップの列でそれぞれ乗算される。
【００７２】
詳細には、第２のサブキャリアＦ２の場合、リソースブロックの第１レイヤ内の復調用参照信号には、直交行列Ｅの第１の行内の第１のチップの列から第４のチップの列、［１，１，１，１］が時間軸の正方向にそれぞれ乗算される、リソースブロックの第２レイヤ内の復調用参照信号は、直交行列Ｅの第２の行内の第１のチップの列から第４のチップの列、［１，−１，１，−１］が時間軸の正方向にそれぞれ乗算される。リソースブロックの第３レイヤ内の復調用参照信号は、直交行列Ｅの第３の行内の第１のチップの列から第４のチップの列、［１，−１，−１，１］が時間軸の正方向にそれぞれ乗算される。リソースブロックの第４レイヤ内の復調用参照信号は、直交行列Ｅの第４の行内の第１のチップの列から第４のチップの列、［−１，−１，１，１］が時間軸の正方向にそれぞれ乗算される。
【００７３】
第３のサブキャリアＦ３上のリソースブロックの第１レイヤ内から第４レイヤ内の復調用参照信号に関して、第１のサブキャリアＦ１上のリソースブロックの第１レイヤ内から第４レイヤ内の復調用参照信号の動作と同じ動作が繰り返される。
【００７４】
図１６は、本開示の直交多重化方法に関して循環シフトが実行されるリソースブロックに関して示される一例を示す。
【００７５】
図１６では、リソースブロックの第１レイヤ内および第２レイヤ内の復調用参照信号の場合、直交行列Ｘを使用することによってマッピングが実行される。マッピングは、第１のサブキャリアＦ１、第２のサブキャリアＦ２、第３のサブキャリアＦ３、第４のサブキャリアＦ４、第５のサブキャリアＦ５、第６のサブキャリアＦ６など、隣接するサブキャリアに対して交互に逆方向であり、これは、Release-9の方法に一致する。リソースブロックの第３レイヤ内および第４レイヤ内の復調用参照信号の場合、直交行列Ｙのチップの列をそれぞれ循環シフトすることによってマッピングが実行される。ここでは、直交行列Ｘは、図１１および図１２に示される直交行列Ａの第１のチップの行および第２のチップの行からなり、直交行列Ｙは、図１１および図１２に示される直交行列Ａの第３のチップの行および第４のチップの行からなる。
【００７６】
詳細には、第１のサブキャリアＦ１の場合、第１レイヤ内および第２レイヤ内の復調用参照信号に対するａ、ｂ、ｃ、ｄのマッピング方法が、時間軸の正方向に１個のＯＦＤＭシンボルだけ循環シフトされて、第３レイヤ内および第４レイヤ内の復調用参照信号に対するｄ、ａ、ｂ、ｃのマッピング方法が取得される。
【００７７】
第２のサブキャリアＦ２の場合、第１レイヤ内および第２レイヤ内の復調用参照信号に対するｄ、ｃ、ｂ、ａのマッピング方法が、時間軸の逆方向に１個のＯＦＤＭシンボルだけ循環シフトされて、第３レイヤ内および第４レイヤ内の復調用参照信号に対するｃ、ｂ、ａ、ｄのマッピング方法が取得される。
【００７８】
第３のサブキャリアＦ３の場合、第１レイヤ内および第２レイヤ内の復調用参照信号に対するａ、ｂ、ｃ、ｄのマッピング方法が、時間軸の正方向に１個のＯＦＤＭシンボルだけ循環シフトされて、第３レイヤ内および第４レイヤ内の復調用参照信号に対するｄ、ａ、ｂ、ｃのマッピング方法が取得される。
【００７９】
第４のサブキャリアＦ４の場合、第１レイヤ内および第２レイヤ内の復調用参照信号に対するｄ、ｃ、ｂ、ａのマッピング方法が、時間軸の正方向に１個のＯＦＤＭシンボルだけ循環シフトされて、第３レイヤ内および第４レイヤ内の復調用参照信号に対するａ、ｄ、ｃ、ｂのマッピング方法が取得される。
【００８０】
第５のサブキャリアＦ５の場合、第１レイヤ内および第２レイヤ内の復調用参照信号に対するａ、ｂ、ｃ、ｄのマッピング方法が、時間軸の逆方向に１個のＯＦＤＭシンボルだけ循環シフトされて、第３レイヤ内および第４レイヤ内の復調用参照信号に対するｂ、ｃ、ｄ、ａのマッピング方法が取得される。
【００８１】
第６のサブキャリアＦ６の場合、第１レイヤ内および第２レイヤ内の復調用参照信号に対するｄ、ｃ、ｂ、ａのマッピング方法が、時間軸の正方向に１個のＯＦＤＭシンボルだけ循環シフトされて、第３レイヤ内および第４レイヤ内の復調用参照信号に対するａ、ｄ、ｃ、ｂのマッピング方法が取得される。
【００８２】
リソースブロック内に示される異なるサブキャリア上の異なるレイヤ内の復調用参照信号のマッピング方法の上記循環シフトは、図１５に示されるような循環シフトに等しい。直交行列Ａの第３の行内および第４の行内のチップは、時間方向に循環シフトされる。すなわち、直交行列ＣおよびＥを取得するために、直交行列Ａの最後の２列内のチップは、時間軸の正方向または逆方向に１列だけ循環シフトされる。隣接するサブキャリア上のリソースブロックの第１レイヤから第４レイヤ内の復調用参照信号は、時間軸の正方向または逆方向に、直交行列ＣおよびＥの第１の列から第４の列内のチップでそれぞれ乗算される。
【００８３】
本開示の一実施形態によれば、第１レイヤおよび第２レイヤのマッピング方法は、Release-9のマッピング方法に一致し、前方互換性が確保される。各サブキャリア上に、第１レイヤおよび第２レイヤのマッピング方法と、第３レイヤおよび第４レイヤのマッピング方法との間の対応が存在する。図１６では、第１のサブキャリア上で、第１レイヤ内および第２レイヤ内の復調用参照信号に対するマッピング方法が時間軸の正方向に１個のＯＦＤＭシンボルだけ循環シフトされて、このサブキャリア上の第３レイヤ内および第４レイヤ内の復調用参照信号に対するマッピング方法が取得される。次のサブキャリア内では、第１レイヤおよび第２レイヤに対するマッピング方法が逆方向に１個のＯＦＤＭシンボルだけシフトされて、第３レイヤおよび第４レイヤに対するマッピング方法を取得することが可能である。同じ方法によって、残りのサブキャリア内の第３レイヤおよび第４レイヤのマッピング方法を取得することが可能である。第１レイヤ、第２レイヤ、第３レイヤ、および第４レイヤに対応する復調用参照信号は、同じ時間リソース上および周波数リソース上で多重化される。このため、第１レイヤ内、第２レイヤ内、第３レイヤ内、および第４レイヤ内の復調用参照信号に対するそのような異なるマッピング方法は、ウォルシュ行列（直交行列）の最後の２行内のチップが図１５に示されるように循環シフトされることに等しい。本実施形態のマッピング方法の時間領域および周波数領域での直交特性は、図１７に示すことができる。
【００８４】
図１７は、本開示の直交符号に基づく符号分割多重化方法の効果を示す図である。
【００８５】
図１７では、本実施形態の電力ピーク値に関する等価機能が示されている。異なるレイヤ（第１レイヤから第４レイヤ）内の復調用参照信号に関する実値はそれぞれＡ、Ｂ、Ｃ、Ｄ（Ａ、Ｂ、Ｃ、Ｄは、任意の複素値であってよい）であり、図１７において、異なる陰影は採りうる異なる電力値を表すと仮定する。それぞれの陰影は、本実施形態によって実現されるマッピング方法において４個のＯＦＤＭシンボルに割り当てられる。本実施形態によって実現される方法は、電力ピーク値の等価問題を解決することが可能である点は、以下の定量分析から明確に例示できる。図１７の第１のリソースブロックＲＢ１内および第２のリソースブロックＲＢ２内の６個のサブキャリア上の復調用参照信号の電力を重畳することによって、各ＯＦＤＭシンボル（Ｔ１〜Ｔ４）の総電力を取得することが可能である。Ｔ１上およびＴ２上の累積電力は同一、すなわち、６（｜Ａ｜２＋｜Ｂ｜２＋｜Ｃ｜２＋｜Ｄ｜２）＋２（ＡＤ＊＋ＤＡ＊）−２（ＢＣ＊＋ＣＢ＊）であり、Ｔ３上およびＴ４上の累積電力は同一、すなわち、６（｜Ａ｜２＋｜Ｂ｜２＋｜Ｃ｜２＋｜Ｄ｜２）−２（ＡＤ＊＋ＤＡ＊）＋２（ＢＣ＊＋ＣＢ＊）である。上記計算において、｜Ａ｜は、複素数Ａの絶対値を表し、Ａ＊は、複素値Ａの共役を表す。図９に示されるように、時間領域で交互に反転する方法を使用することによって、Ｔ１〜Ｔ４のそのような４個のＯＦＤＭシンボル上の電力累積は、類似の計算によって取得可能であると仮定する。Ｔ１上およびＴ４上の累積電力は同一、すなわち、６（｜Ａ｜２＋｜Ｂ｜２＋｜Ｃ｜２＋｜Ｄ｜２）＋６（ＡＤ＊＋ＤＡ＊）＋６（ＢＣ＊＋ＣＢ＊）であり、Ｔ２上およびＴ３上の累積電力は同一、すなわち、６（｜Ａ｜２＋｜Ｂ｜２＋｜Ｃ｜２＋｜Ｄ｜２）−６（ＡＤ＊＋ＤＡ＊）−６（ＢＣ＊＋ＣＢ＊）である。上記の電力累積値では、６（｜Ａ｜２＋｜Ｂ｜２＋｜Ｃ｜２＋｜Ｄ｜２）の表現は一般的である。したがって、電力変動は、Ａ、Ｂ、Ｃ、Ｄのたすき掛け（cross-multiplication）の項に主に依存する。本実施形態の計算では、対応するたすき掛け項の前の係数は２である。対照的に、図９に示される方法の計算では、対応するたすき掛け項の前の係数は６である。その結果として、本実施形態は、ピーク値の電力を効果的に平均化することが可能である。最終的に、簡単な例を使用することによって、本実施形態の効率を検証することも可能である。Ａ＝Ｂ＝Ｃ＝Ｄであると仮定する。上記計算より、本実施形態では、Ｔ１上〜Ｔ４上の累積電力は、すべて６（｜Ａ｜２＋｜Ｂ｜２＋｜Ｃ｜２＋｜Ｄ｜２）であることを得ることができるが、図９に示される方法では、Ｔ１上およびＴ４上の累積電力は、１２（｜Ａ｜２＋｜Ｂ｜２＋｜Ｃ｜２＋｜Ｄ｜２）であり、Ｔ２上およびＴ３上の累積電力は両方ともゼロである。
【００８６】
したがって、本実施形態は、時間領域の基地局の送信電力のジッタの問題を効果的に除去することが可能である。一方、このマッピング方法は、時間領域および周波数領域で双対直交性を有し、3GPP LTE Release-9標準の前方互換性を維持することが可能である。特に、基地局側の電力増幅器の利用効率を改善する。
【００８７】
リソースブロックのＮ個のレイヤ（第１レイヤから第４レイヤ）内の復調用参照信号の符号分割多重化の方法が上述されている。本開示の一実施形態によれば、リソースブロックのＮ個のレイヤがさらに含まれている場合もあり、所定の時間位置および周波数位置に配置される復調用参照信号は、上述されたリソースブロックのＮ個のレイヤ内の復調用参照信号とは異なる。
【００８８】
リソースブロックの第１レイヤから第４レイヤと同じ処理方法を用いることによって、リソースブロックの第５レイヤから第８レイヤ内の復調用参照信号の直交符号に基づく符号分割多重化の方法を実行することが可能である。
【００８９】
（実施の形態２）
図１８は、本開示の第２の実施形態による、リソースブロックの第５レイヤから第８レイヤ内の復調用参照信号の符号分割多重化方法を示す。
【００９０】
本実施形態では、データ（リソースブロック）の第８レイヤ内の復調用参照信号は、図８に示されるように、２個の隣接するサブキャリア上に分散される。実施の形態１は、４レイヤの復調用参照信号が１個のサブキャリア上に割り当てられる例に関連し、復調用参照信号が２個の隣接するサブキャリア上で割り当てられる例には関連しない。復調用参照信号の第５レイヤ内から第８レイヤ内のマッピング方法が設計されるとき、１つの簡単な方法は、実施の形態１の方法など、第１レイヤから第４レイヤのマッピング方法を繰り返し使用することである。しかし、実際には、第５レイヤから第８レイヤ内の参照信号は、第１レイヤから第４レイヤとは異なるマッピング方法を使用することも可能であり、本実施形態は、第１レイヤから第４レイヤのマッピング方法とは異なる一例を提示する。本実施形態によれば、第５レイヤから第８レイヤ内の復調用参照信号、および第１レイヤから第４レイヤ内の復調用参照信号には、異なるマッピング方法が用いられる。図１８では、第５レイヤから第８レイヤのマッピング方法だけが提示され、第１レイヤから第４レイヤのマッピング方法は、実施の形態１と同じである。
【００９１】
図１８に示されるように、リソースブロックの第５レイヤ内および第６レイヤ内の復調用参照信号は、直交行列Ｘを使用することによってマッピングされる。このマッピングは、第１のサブキャリアＦ１、第２のサブキャリアＦ２、第３のサブキャリアＦ３、第４のサブキャリアＦ４、第５のサブキャリアＦ５、第６のサブキャリアＦ６など、復調用参照信号を用いて変調された隣接するサブキャリア上で交互に逆方向であり、これは、Release-9の方法に一致する。リソースブロックの第７レイヤ内および第８レイヤ内の復調用参照信号の場合、マッピングは、直交行列Ｙのチップの列をそれぞれ循環シフトすることによって実行される。ここでは、直交行列Ｘは、図１１および図１２に示されるように、直交行列Ａの第１のチップの行および第２のチップの行からなり、直交行列Ｙは、図１１および図１２に示されるように、直交行列Ａの第３のチップの行および第４のチップの行からなる。
【００９２】
詳細には、第１のサブキャリアＦ１の場合、第５レイヤ内および第６レイヤ内の復調用参照信号に対するａ、ｂ、ｃ、ｄのマッピング方法が時間軸の逆方向に１個のＯＦＤＭシンボルだけ循環シフトされて、第７レイヤ内および第８レイヤ内の復調用参照信号に対するｂ、ｃ、ｄ、ａのマッピング方法が取得される。
【００９３】
第２のサブキャリアＦ２の場合、第５レイヤ内および第６レイヤ内の復調用参照信号に対するｄ、ｃ、ｂ、ａのマッピング方法が時間軸の正方向に１個のＯＦＤＭシンボルだけ循環シフトされて、第７レイヤ内および第８レイヤ内の復調用参照信号に対するａ、ｄ、ｃ、ｂのマッピング方法が取得される。
【００９４】
第３のサブキャリアＦ３の場合、第５レイヤ内および第６レイヤ内の復調用参照信号に対するａ、ｂ、ｃ、ｄのマッピング方法が時間軸の逆方向に１個のＯＦＤＭシンボルだけ循環シフトされ、第７レイヤ内および第８レイヤ内の復調用参照信号に対するｂ、ｃ、ｄ、ａのマッピング方法が取得される。
【００９５】
第４のサブキャリアＦ４の場合、第５レイヤ内および第６レイヤ内の復調用参照信号に対するｄ、ｃ、ｂ、ａのマッピング方法が時間軸の逆方向に１個のＯＦＤＭシンボルだけ循環シフトされ、第７レイヤ内および第８レイヤ内の復調用参照信号に対するｃ、ｂ、ａ、ｄのマッピング方法が取得される。
【００９６】
第５のサブキャリアＦ５の場合、第５レイヤ内および第６レイヤ内の復調用参照信号に対するａ、ｂ、ｃ、ｄのマッピング方法が時間軸の正方向に１個のＯＦＤＭシンボルだけ循環シフトされ、第７レイヤ内および第８レイヤ内の復調用参照信号に対するｄ、ａ、ｂ、ｃのマッピング方法が取得される。
【００９７】
第６のサブキャリアＦ６の場合、第５レイヤ内および第６レイヤ内の復調用参照信号に対するｄ、ｃ、ｂ、ａのマッピング方法が時間軸の逆方向に１個のＯＦＤＭシンボルだけ循環シフトされ、第７レイヤ内および第８レイヤ内の復調用参照信号に対するｃ、ｂ、ａ、ｄのマッピング方法が取得される。
【００９８】
リソースブロックの第５レイヤから第８レイヤ内に示される異なるサブキャリア上の異なるレイヤ内の復調用参照信号のマッピング方法の上記循環シフトは、以下の方法に等しい。
【００９９】
ここで、第１のリソースブロックＲＢ１を例にとる。第１のサブキャリアＦ１上のリソースブロックの第５レイヤから第８レイヤ内の復調用参照信号の場合、直交行列Ｅを取得するために、直交行列Ａの最後の２行内のチップは、時間軸の逆方向に１列だけ循環シフトされる。第１のサブキャリアＦ１上のリソースブロックの第５レイヤから第８レイヤ内の復調用参照信号は、時間軸の正方向（Ｔ１→Ｔ２→Ｔ３→Ｔ４、すなわち、左から右の方向）に直交行列Ｅの第１のチップの列から第４のチップの列でそれぞれ乗算される。
【０１００】
詳細には、第１のサブキャリアＦ１の場合、リソースブロックの第５レイヤ内の復調用参照信号には、直交行列Ｅの第１の行内の第１のチップの列から第４のチップの列、［１，１，１，１］が時間軸の正方向にそれぞれ乗算される。リソースブロックの第６レイヤ内の復調用参照信号には、直交行列Ｅの第２の行内の第１のチップの列から第４のチップの列、［１，−１，１，−１］が時間軸の正方向にそれぞれ乗算される。リソースブロックの第７レイヤ内の復調用参照信号には、直交行列Ｅの第３の行の第１のチップの列から第４のチップの列、［１，−１，−１，１］が時間軸の正方向にそれぞれ乗算される。リソースブロックの第８レイヤ内の復調用参照信号には、直交行列Ｅの第４の行内の第１チップの列から第４のチップの列、［−１，−１，１，１］が時間軸の正方向にそれぞれ乗算される。
【０１０１】
第２のサブキャリアＦ２上のリソースブロックの第５レイヤから第８レイヤ内の復調用参照信号の場合、直交行列Ｅを取得するために、直交行列Ａの最後の２行内のチップは、時間軸の逆方向に１列だけ循環シフトされる。第２のサブキャリアＦ２上のリソースブロックの第５レイヤから第８レイヤ内の復調用参照信号は、時間軸の逆方向（Ｔ４→Ｔ３→Ｔ２→Ｔ１、すなわち、右から左の方向）に直交行列Ｅの第１のチップの列から第４のチップの列でそれぞれ乗算される。詳細には、第２のサブキャリアＦ２の場合、リソースブロックの第５レイヤ内の復調用参照信号には、直交行列Ｅの第１の行内の第１のチップの列から第４のチップの列、［１，１，１，１］が時間軸の逆方向にそれぞれ乗算され、リソースブロックの第６レイヤ内の復調用参照信号には、直交行列Ｅの第２の行内の第１のチップの列から第４のチップの列、［１，−１，１，−１］が時間軸の逆方向にそれぞれ乗算され、リソースブロックの第７レイヤ内の復調用参照信号には、直交行列Ｅの第３の行内の第１のチップの列から第４のチップの列、［１，−１，−１，１］が時間軸の逆方向にそれぞれ乗算され、リソースブロックの第８レイヤ内の復調用参照信号には、直交行列Ｅの第４の行内の第１のチップの列から第４のチップの列、［−１，−１，１，１］が時間軸の逆方向にそれぞれ乗算される。ここでは、第２のサブキャリア上の各レイヤ内の復調用参照信号を時間軸の逆方向に直交行列Ｅの第１のチップの列から第４のチップの列で乗算することは、第２のサブキャリア上の各レイヤ内の復調用参照信号を時間軸の正方向に直交行列Ｅ’の第１の列から第４の列のチップで乗算することに等しい。直交行列Ｅ’は、直交行列Ｅの第１のチップの列から第４のチップの列を逆に配置することによって取得される直交行列に等しい。
【０１０２】
第３のサブキャリアＦ３上のリソースブロックの第５レイヤから第８レイヤ内の復調用参照信号に関して、第１のサブキャリアＦ１上のリソースブロックの第５レイヤから第８レイヤ内の復調用参照信号の動作と同じ動作が繰り返される。
【０１０３】
本開示の一実施形態によれば、以下の符号分割多重化方法を用いることが可能である。
【０１０４】
ここで、第２のリソースブロックＲＢ２を例にとる。第１のサブキャリアＦ１上のリソースブロックの第５レイヤから第８レイヤ内の復調用参照信号の場合、直交行列Ｃを取得するために、直交行列Ａの最後の２行内のチップは、時間軸の正方向に１列だけ循環シフトされる。第１のサブキャリアＦ１上のリソースブロックの第５レイヤから第８レイヤ内の復調用参照信号は、時間軸の逆方向（Ｔ４→Ｔ３→Ｔ２→Ｔ１の方向）に直交行列Ｃの第１のチップの列から第４のチップの列でそれぞれ乗算される。
【０１０５】
詳細には、第１のサブキャリアＦ１の場合、リソースブロック内の第５レイヤ内の復調用参照信号には、直交行列Ｃの第１の行内の第１のチップの列から第４のチップの列［１，１，１，１］が時間軸の逆方向にそれぞれ乗算され、リソースブロックの第６レイヤ内の復調用参照信号には、直交行列Ｃの第２の行内の第１のチップの列から第４のチップの列［１，−１，１，−１］が時間軸の逆方向にそれぞれ乗算され、リソースブロックの第７レイヤ内の復調用参照信号には、直交行列Ｃの第３の行内の第１のチップの列から第４のチップの列［−１，１，１，−１］が時間軸の逆方向にそれぞれ乗算され、リソースブロックの第８レイヤ内の復調用参照信号には、直交行列Ｃの第４の行内の第１のチップの列から第４のチップの列［１，１，−１，−１］が時間軸の逆方向にそれぞれ乗算される。ここでは、第１のサブキャリア上の各レイヤ内の復調用参照信号を時間軸の逆方向に直交行列Ｃの第１のチップの列から第４のチップの列で乗算することは、第１のサブキャリア上の各レイヤ内の復調用参照信号を時間軸の正方向に直交行列Ｃ’の第１のチップの列から第４のチップの列で乗算するのに等しい。直交行列Ｃ’は、直交行列Ｃの第１のチップの列から第４のチップの列を逆に配置することによって取得される直交行列に等しい。
【０１０６】
第２のサブキャリアＦ２上のリソースブロックの第５レイヤから第８レイヤ内の復調用参照信号の場合、直交行列Ｃを取得するために、直交行列Ａの最後の２行内のチップは、時間軸の正方向に１列だけ循環シフトされる。第２のサブキャリアＦ２上のリソースブロックの第５レイヤから第８レイヤ内の復調用参照信号は、時間軸の正方向（Ｔ１→Ｔ２→Ｔ３→Ｔ４の方向）に直交行列Ｃの第１のチップの列から第４のチップの列でそれぞれ乗算される。
【０１０７】
詳細には、第２のサブキャリアＦ２の場合、リソースブロック上の第５レイヤ内の復調用参照信号には、直交行列Ｃの第１の行内の第１のチップの列から第４のチップの列［１，１，１，１］が時間軸の正方向にそれぞれ乗算され、リソースブロックの第６レイヤ内の復調用参照信号には、直交行列Ｃの第２の行内の第１のチップの列から第４のチップの列［１，−１，１，−１］が時間軸の正方向にそれぞれ乗算され、リソースブロックの第７レイヤ内の復調用参照信号には、直交行列Ｃの第３の行内の第１のチップの列から第４のチップの列［−１，１，１，−１］が時間軸の正方向にそれぞれ乗算され、リソースブロックの第８レイヤ内の復調用参照信号には、直交行列Ｃの第４の行内の第１のチップの列から第４のチップの列［１，１，−１，−１］が時間軸の正方向にそれぞれ乗算される。
【０１０８】
第３のサブキャリアＦ３上のリソースブロックの第５レイヤから第８レイヤ内の復調用参照信号に関して、第１のサブキャリアＦ１上のリソースブロックの第５レイヤから第８レイヤ内の復調用参照信号の動作と同じ動作が繰り返される。
【０１０９】
本実施形態の実装形態によれば、時間領域の基地局の送信電力のジッタの問題を効果的に除去することが可能である。一方、このマッピング方法は、時間領域および周波数領域で双対直交性を有し、3GPP LTE Release-9標準の前方互換性を維持することが可能である。特に、基地局側の電力増幅器の利用効率が改善される。
【０１１０】
本開示の一実施形態によれば、実施の形態１の方法は、第５レイヤから第８レイヤ内の復調用参照信号に対して使用することも可能であり、一方、本実施形態の方法は、第１レイヤから第４レイヤ内の復調用参照信号に対して使用することが可能である。
【０１１１】
本実施形態では、各サブキャリア上のマッピングに関して使用される直交行列と、実施の形態１の直交行列との間に対応が存在する。例えば、実施の形態１では、ＲＢ１のサブキャリアＦ１上で使用される直交行列は、直交行列Ａの最後の２行内のチップを時間軸の正方向に１列だけ循環シフトすることによって取得される直交行列Ｃであり、実施の形態２では、（実施の形態１のサブキャリアＦ１に隣接する）ＲＢ１のサブキャリアＦ１上で使用される直交行列は、直交行列Ａの最後の２行内のチップを時間軸の逆方向に１列だけ循環シフトすることによって取得される直交行列Ｅである。後続のサブキャリアでは、そのような関係が続く。
【０１１２】
（実施の形態３）
図１９は、本開示の一実施形態による無線通信システムの逆多重化装置を示すブロック図である。
【０１１３】
図１９に示されるように、本開示による逆多重化装置１９００は、互いに接続された、逆多重化部１９０２および受信部１９０６を含む。
【０１１４】
本開示による逆多重化装置１９００は、様々なデータを処理して、逆多重化装置１９００内の各構成部の動作を制御するために関連プログラムを実行する中央処理装置（ＣＰＵ）１９１０、ＣＰＵ１９１０が様々なプロセスおよび制御を実行するために必要とされる様々なプログラムを格納するＲＯＭ（Read Only Memory）１９１３、プロセスおよび制御の手順においてＣＰＵ１９１０によって一時的に生成される中間データを格納するＲＡＭ（Random Access Memory）１９１５、外部装置と接続して、外部装置と逆多重化装置１９００との間で様々なデータをトランスポートする入出力（Ｉ／Ｏ）部１９１６などを含むことも可能である。上記逆多重化部１９０２、受信部１９０６、ＣＰＵ１９１０、ＲＯＭ１９１３、ＲＡＭ１９１５、Ｉ／Ｏ部１９１６などは、データ／コマンドバス１９２０を介して接続され、互いに信号を転送する。
【０１１５】
上述した各構成部は、本開示の範囲を限定しない。本開示の一実施形態によれば、逆多重化部１９０２および受信部１９０６のいずれの機能も、上記のＣＰＵ１９１０、ＲＯＭ１９１３、ＲＡＭ１９１５、Ｉ／Ｏ部１９１６などと組み合わせて機能するソフトウェアによって実現することも可能である。さらに、逆多重化部１９０２および受信部１９０６の機能は、それらを組み合わせて１個の構成部にまとめることによって実現することも可能である。
【０１１６】
本開示の逆多重化装置１９００は、リソースブロックの複数のレイヤ内の符号分割多重化信号の逆多重化を実行するために直交行列を使用する。逆多重化装置１９００では、受信部１９０６は、リソースブロックの複数のレイヤ内で符号分割多重化信号を受信する。逆多重化部１９０２は、直交行列の各行内のチップを、リソースブロックの対応するレイヤ内の符号分割多重化信号で乗算して、復調用参照信号を取得する。本実施形態によれば、直交行列は、他の直交行列の特定の行内のチップの順序を変更することによって取得される直交行列であってよい。一部の行内のチップの順序を変更することによって取得された行列において、元の直交行列の各行の間、および各列の間の元の直交特性は同時に維持される。
【０１１７】
本開示の一実施形態によれば、上記直交行列では、他の直交行列の一部の行内のチップを時間軸の正方向または逆方向に循環シフトすること、または、他の直交行列の一部の行と非ゼロ数とを乗算して、各行内のチップを時間軸の正方向または逆方向に循環シフトすることによって、チップの順序を変更することが可能である。逆多重化部１９０２は、チップの順序を時間方向に交互に逆方向に変更した状態で、リソースブロックの各レイヤ内の隣接するサブキャリア上の符号分割多重化信号と、直交行列の第１の列内から最後の列内のチップとを乗算することが可能である。
【０１１８】
詳細には、例えば、図１５に示される第１のリソースブロックＲＢ１の第１のサブキャリアＦ１を例にとる。受信部１９０６が、第１リソースブロックＲＢ１の第１のサブキャリアＦ１上で、本開示の実施の形態１または実施の形態２の方法を使用することによって符号化され、多重化されたＳ１、Ｓ２、Ｓ３、Ｓ４などの復調用参照信号を受信する場合、逆多重化部１９０２は、循環シフトの後で、受信された符号分割多重化信号Ｓ１、Ｓ２、Ｓ３、Ｓ４を直交行列Ｃの対応する行で乗算することにより、リソースブロックの各レイヤ内の元の復調用参照信号を取得することが可能である。
【０１１９】
本実施形態の実装形態によれば、時間領域の基地局の送信電力のジッタの問題を効果的に除去することが可能である。一方、このマッピング方法は、時間領域および周波数領域で双対直交性を有し、3GPP LTE Release-9標準の前方互換性を維持することが可能である。特に、基地局側の電力増幅器の利用効率が改善される。
【０１２０】
（実施の形態４）
図２０は、本実施形態による、直交符号に基づく符号分割多重化方法の流れ図である。
【０１２１】
本実施形態による直交符号ベースの符号分割多重化方法は、直交行列を使用することによって、リソースブロックの複数のレイヤ内の復調用参照信号の符号分割多重化を実行する。図２０に示されるように、ステップＳ２０１０において、第１の直交行列の一部の行内のチップの順序が変更されて、変更されたチップの順序を有する第２の直交行列が取得される。ステップＳ２０２０において、第２の直交行列の各行内のチップは、符号分割多重化信号を取得するために、リソースブロックの対応するレイヤ内の復調用参照信号で時間方向に乗算される。
【０１２２】
本実施形態によれば、ステップＳ２０１０は、図１０に示される処理部１００２によって実施することが可能であり、ステップＳ２０２０は、多重化部１００６によって実施することが可能である。
【０１２３】
本実施形態による直交符号ベースの符号分割多重化方法は、第１の直交行列の一部の行内のチップを時間軸の正方向または逆方向に循環シフトすること、または、第１の直交行列の一部の行と非ゼロ数とを乗算して、時間軸の正方向または逆方向に各行内のチップを循環シフトすることによって、チップの順序を変更して、リソースブロックの各レイヤ内の隣接するサブキャリア上の復調用参照信号を時間方向に交互に逆方向に第２の直交行列の第１の列内から最後の列内のチップで乗算するステップを含むことも可能である。
【０１２４】
４×４の次数の直交行列および４レイヤのリソースブロックの場合、本実施形態による直交符号ベースの符号分割多重化方法は、第１の直交行列の最後の２行内のチップを時間の正方向に１列だけ循環シフトすることによりチップの順序を変更して、リソースブロックの第１レイヤから第４レイヤ内の第１のサブキャリア上の復調用参照信号に、第２の直交行列の第１の列内から第４の列内のチップを時間の正方向にそれぞれ乗算するステップを含むことも可能である。
【０１２５】
４×４の次数の直交行列および４レイヤのリソースブロックの場合、本実施形態による直交符号ベースの符号分割多重化方法は、第１の直交行列の最後の２行内のチップを時間の正の方法に１列だけ循環シフトすることによりチップの順序を変更して、リソースブロックの第１レイヤから第４レイヤ内の第２のサブキャリア上の復調用参照信号に、第２の直交行列の第１の列から第４の列内のチップを時間の逆方向にそれぞれ乗算するステップを含むことも可能である。
【０１２６】
４×４の次数の直交行列および４レイヤのリソースブロックの場合、本実施形態による直交符号ベースの符号分割多重化方法は、第１の直交行列の最後の２行内のチップを時間の逆方向に１列だけ循環シフトすることによりチップの順序を変更して、リソースブロックの第１レイヤから第４レイヤ内の第１のサブキャリア上の復調用参照信号に、第２の直交行列の第１の列から第４の列内のチップを時間の逆方向にそれぞれ乗算するステップを含むことも可能である。
【０１２７】
４×４の次数の直交行列および４レイヤのリソースブロックの場合、本実施形態による直交符号ベースの符号分割多重化方法は、第１の直交行列の最後の２行内のチップを時間の逆方向に１列だけ循環シフトすることによりチップの順序を変更して、リソースブロックの第１レイヤから第４レイヤ内の第２のサブキャリア上の復調用参照信号に、第２の直交行列の第１の列から第４の列内のチップを時間の正方向にそれぞれ乗算するステップを含むことも可能である。
【０１２８】
４×４の次数の直交行列および４レイヤのリソースブロックの場合、本実施形態による直交符号ベースの符号分割多重化方法は、第１の直交行列の一部の行と非ゼロ数とを乗算して、各行内のチップを時間の正方向に１列だけ循環シフトすることによりチップの順序を変更して、リソースブロックの第１レイヤから第４レイヤ内の第１のサブキャリア上の復調用参照信号に、第２の直交行列の第１の列から第４の列内のチップを時間の正方向にそれぞれ乗算して、リソースブロックの第１レイヤから第４レイヤ内の第２のサブキャリア上の復調用参照信号に、第２の直交行列の第１の列から第４の列内のチップを時間の逆方向にそれぞれ乗算するステップと、第１の直交行列の一部の行と非ゼロ数とを乗算して、各行内のチップを時間の逆方向に１列だけ循環シフトすることによりチップの順序を変更して、リソースブロックの第１レイヤから第４レイヤ内の第３のサブキャリア上の復調用参照信号に、第２の直交行列の第１の列から第４の列内のチップを時間の正方向にそれぞれ乗算して、リソースブロックの第１レイヤから第４レイヤ内の第４のサブキャリア上の復調用参照信号に、第２の直交行列の第１の列から第４の列内のチップを時間の逆方向にそれぞれ乗算するステップと、を含むことも可能である。
【０１２９】
４×４の次数の直交行列および第５レイヤから第８レイヤの８レイヤのリソースブロックの場合、本実施形態による直交符号ベースの符号分割多重化方法は、リソースブロックの第５レイヤから第８レイヤ内の復調用参照信号に関して、リソースブロックの第１レイヤから第４レイヤ内の復調用参照信号と同じ処理方法を実行するステップを含むことも可能である。
【０１３０】
４×４の次数の直交行列および第５レイヤから第８レイヤの８レイヤのリソースブロックの場合、本実施形態による直交符号ベースの符号分割多重化方法は、第１の直交行列の最後の２行内のチップを時間の逆方向に１列だけ循環シフトすることによりチップの順序を変更して、リソースブロックの第５レイヤから第８レイヤ内の第１のサブキャリア上の復調用参照信号に、第２の直交行列の第１の列から第４の列内のチップを時間の正の方向にそれぞれ乗算するステップを含むことも可能である。
【０１３１】
４×４の次数の直交行列および第５レイヤから第８レイヤの８レイヤのリソースブロックの場合、本実施形態による直交符号ベースの符号分割多重化方法は、第１の直交行列の最後の２行内のチップを時間の逆方向に１列だけ循環シフトすることによりチップの順序を変更して、リソースブロックの第５レイヤから第８レイヤ内の第２のサブキャリア上の復調用参照信号に、第２の直交行列の第１の列から第４の列内のチップを時間の逆方向にそれぞれ乗算するステップを含むことも可能である。
【０１３２】
４×４の次数の直交行列および第５レイヤから第８レイヤの８レイヤのリソースブロックの場合、本実施形態による直交符号ベースの符号分割多重化方法は、第１の直交行列の最後の２行内のチップを時間の正の方向に１列だけ循環シフトすることによりチップの順序を変更して、リソースブロックの第５レイヤから第８レイヤ内の第１のサブキャリア上の復調用参照信号に、第２の直交行列の第１の列から第４の列内のチップを時間の逆方向にそれぞれ乗算するステップを含むことも可能である。
【０１３３】
４×４の次数の直交行列および第５レイヤから第８レイヤの８レイヤのリソースブロックの場合、本実施形態による直交符号ベースの符号分割多重化方法は、第１の直交行列の最後の２行内のチップを時間の正の方向に１列だけ循環シフトすることによりチップの順序を変更して、リソースブロックの第５レイヤから第８レイヤ内の第２のサブキャリア上の復調用参照信号に、第２の直交行列の第１の列から第４の列内のチップを時間の正方向にそれぞれ乗算するステップを含むことも可能である。
【０１３４】
上記方法のそれぞれのステップを実行する順序は、本開示の範囲を限定せず、上記のそれぞれのステップは、並行して実行されてよく、または異なる順序で実行されてもよい。
【０１３５】
上記各ステップは、符号分割多重化装置１０００の処理部１００２および多重化部１００６によってそれぞれ実施することが可能であり、または集合的に実施することも可能である。
【０１３６】
本実施形態の実装形態によれば、時間領域の基地局の送信電力のジッタの問題を効果的に除去することが可能である。一方、このマッピング方法は、時間領域および周波数領域で双対直交性を有し、3GPP LTE Release-9標準の前方互換性を維持することが可能である。特に、基地局側の電力増幅器の利用効率が改善される。
【０１３７】
（実施の形態５）
図２１は、本実施形態による逆多重化方法を示す流れ図である。
【０１３８】
本実施形態による逆多重化方法は、直交行列を使用することによって、リソースブロックの複数のレイヤ内の符号分割多重化信号を逆多重化する。図２１に示されるように、ステップＳ２１１０において、リソースブロックの複数のレイヤ内で符号分割多重化信号が受信される。ステップＳ２１２０において、直交行列の各行内のチップは、復調用参照信号を取得するために、リソースブロックの対応するレイヤ内の符号分割多重化信号で対応する時間方向で乗算される。本開示による方法では、直交行列は、他の直交行列の特定の行内のチップの順序を変更することによって取得される。
【０１３９】
本開示による逆多重化方法では、直交行列に関して、他の直交行列の一部の行内のチップを時間の正方向または逆方向に循環シフトすること、または、他の直交行列の一部の行と非ゼロ数とを乗算して、各行内のチップを時間の正方向または逆方向に循環シフトすることによって、チップの順序が変更される。この逆多重化方法は、リソースブロックの各レイヤ内の隣接するサブキャリア上の符号分割多重化信号に、直交行列の第１の列から最後の列内のチップを時間方向に交互に逆方向に乗算するステップをさらに含む。
【０１４０】
上記のステップＳ２１１０は、逆多重化装置１９００の受信部１９０６によって実施されることが可能であり、ステップＳ２１２０は、逆多重化部１９０２によって実施されることが可能である。
【０１４１】
上記方法の各ステップを実行するステップは、本開示の範囲を限定せず、上記各ステップは、並行して実行されてよく、または異なる順序で実行されてもよい。
【０１４２】
本実施形態の実装形態によれば、時間領域の基地局の送信電力のジッタの問題を効果的に解決することが可能である。一方、このマッピング方法は、時間領域および周波数領域で双対直交性を有し、3GPP LTE Release-9標準の前方互換性を維持することが可能である。特に、基地局側の電力増幅器の利用効率が改善される。
【０１４３】
（実施の形態６）
前述の実施形態の直交行列は、すべてウォルシュ行列を例にとる。しかし、実際には、本開示による方法は、一般的な直交行列に適用可能である。この実施形態では、他のタイプの直交行列の一例が提示され、実施の形態１と同じ方法を使用することによって、直交符号に関して対応するマッピング方式が構築される。
【０１４４】
図２２は、４ポイント離散フーリエ変換行列の一例を示す。
【０１４５】
図２２では、直交行列Ａ２は、図１３と同じ置換により取得される。当然、図１２に示される方法と同じ方法によって直交行列Ａ２を取得することも可能である。第１に、直交行列Ａ（第１の直交行列）の１列内のチップ（例えば、第２の行内のチップ［１，−１，１，−１］）と（−１）とが乗算されて、直交行列である行列Ａ１が取得される。直交行列Ａ１の列は、１ビットだけ左に（時間軸の逆方向に）循環シフトされて、行列Ａ２が取得される。次いで、Ａ２に基づき、実施の形態１の方法が繰り返され、複素領域上の直交符号マッピング方式を取得することが可能である。
【０１４６】
図２３は、図２２で取得された直交行列Ａ２に基づいて実施の形態１の方法を繰り返すことによって取得される複素領域上の直交符号マッピング方式の図を示す。
【０１４７】
ここで、第１のリソースブロックＲＢ１を例にとる。この方法は、第１のサブキャリアＦ１上のリソースブロックの第１レイヤから第４レイヤ内の復調用参照信号が時間軸の正方向（Ｔ１→Ｔ２→Ｔ３→Ｔ４の方向）に直交行列Ａ２の第１のチップの列から第４のチップの列でそれぞれ乗算される。
【０１４８】
詳細には、第１のサブキャリアＦ１の場合、リソースブロックの第１レイヤ内の復調用参照信号には、直交行列Ａ２の第１の行内の第１のチップの列から第４のチップの列［１，１，１，１］が時間軸の正の方向にそれぞれ乗算され、リソースブロックの第２レイヤ内の復調用参照信号には、直交行列Ａ２の第２の行内の第１のチップの列から第４のチップの列［１，−１，１，−１］が時間軸の正の方向にそれぞれ乗算され、リソースブロックの第３レイヤ内の復調用参照信号には、直交行列Ａ２の第３の行内の第１のチップの列から第４のチップの列［ｊ，−１，−ｊ，１］が時間軸の正の方向にそれぞれ乗算され、リソースブロックの第４レイヤ内の復調用参照信号には、直交行列Ａ２の第４の行内の第１のチップの列から第４のチップの列［−ｊ，−１，ｊ，１］が時間軸の正の方向に乗算される。
【０１４９】
この方法は、第２のサブキャリアＦ２上のリソースブロックの第１レイヤ内から第４レイヤ内の復調用参照信号が時間軸の逆方向（Ｔ４→Ｔ３→Ｔ２→Ｔ１の方向）に直交行列Ａ２の第１のチップの列から第４のチップの列でそれぞれ乗算されることであってもよい。
【０１５０】
詳細には、第２のサブキャリアＦ２の場合、リソースブロックの第１レイヤ内の復調用参照信号には、直交行列Ａ２の第１の行内の第１のチップの列から第４のチップの列［１，１，１，１］が時間軸の逆方向にそれぞれ乗算され、リソースブロックの第２レイヤ内の復調用参照信号には、直交行列Ａ２の第２の行内の第１のチップの列から第４のチップの列［１，−１，１，−１］が時間軸の逆方向にそれぞれ乗算され、リソースブロックの第３レイヤ内の復調用参照信号には、直交行列Ａ２の第３の行内の第１のチップの列から第４のチップ［ｊ，−１，−ｊ，１］が時間軸の逆方向にそれぞれ乗算され、リソースブロックの第４レイヤ内の復調用参照信号には、直交行列Ａ２の第４の行内の第１チップの列から第４のチップの列［−ｊ，−１，ｊ，１］が時間軸の逆方向にそれぞれ乗算される。ここでは、第２のサブキャリア上の各レイヤ内の復調用参照信号を時間軸の逆方向に直交行列Ａ２の第１のチップの列から第４のチップの列でそれぞれ乗算することは、第２のサブキャリア上の各レイヤ内の復調用参照信号を時間軸の正方向に直交行列Ａ２’の第１のチップの列から第４のチップの列でそれぞれ乗算することに等しい。直交行列Ａ２’は、直交行列Ａ２の第１の列から第４の列のチップを逆に配置することによって取得される直交行列に等しい。
【０１５１】
第３のサブキャリアＦ３上のリソースブロックの第１レイヤから第４レイヤ内の復調用参照信号に関して、第１のサブキャリアＦ１上のリソースブロックの第１レイヤから第４レイヤ内の復調用参照信号の動作と同じ動作が繰り返される。
【０１５２】
加えて、直交行列Ａ（第１の直交行列）の１行内のチップ（例えば、第２の行内のチップ［１，−１，１，−１］）は、行列Ａ１を取得するために（−１）で乗算されて、他の行列Ａ３
【数８】
0005475186.tif 000009
（第２の直交行列）を取得するために、直交行列Ａ１の列は右に（時間軸の正の方向に）１ビットだけ循環シフトされる。次いで、Ａ３に基づいて、実施の形態１の方法が繰り返され、複素領域上の直交符号マッピング方式を取得することが可能である。
【０１５３】
ここで、第２のリソースブロックＲＢ２を例にとる。この方法は、第１のサブキャリアＦ１上のリソースブロックの第１レイヤから第４レイヤ内の復調用参照信号が時間軸の逆方向（Ｔ４→Ｔ３→Ｔ２→Ｔ１の方向）に直交行列Ａ３の第１のチップの列から第４のチップの列でそれぞれ乗算される。
【０１５４】
詳細には、第１のサブキャリアＦ１の場合、リソースブロックの第１レイヤ内の復調用参照信号には、直交行列Ａ３の第１の行内の第１のチップの列から第４のチップの列［１，１，１，１］が時間軸の逆方向にそれぞれ乗算されて、リソースブロックの第２レイヤ内の復調用参照信号には、直交行列Ａ３の第２の行内の第１のチップの列から第４のチップの列［１，−１，１，−１］が時間軸の逆方向にそれぞれ乗算され、リソースブロックの第３レイヤ内の復調用参照信号には、直交行列Ａ３の第３の行内の第１のチップの列から第４のチップの列［−ｊ，１，ｊ，−１］が時間軸の逆方向にそれぞれ乗算され、リソースブロックの第４レイヤ内の復調用参照信号には、直交行列Ａ３の第４の行内の第１のチップの列から第４のチップの列［ｊ，１，−ｊ，−１］が時間軸の逆方向にそれぞれ乗算される。ここでは、第１のサブキャリア上の各レイヤ内の復調用参照信号を時間軸の逆方向に直交行列Ａ３の第１のチップの列から第４のチップの列でそれぞれ乗算することは、第１のサブキャリア上の各レイヤ内の復調用参照信号を時間軸の正方向に直交行列Ａ３’の第１のチップの列から第４のチップの列でそれぞれ乗算することに等しい。直交行列Ａ３’は、直交行列Ａ３の第１のチップの列から第４のチップの列を逆に配置することによって取得される直交行列に等しい。
【０１５５】
この方法は、第２のサブキャリアＦ２上のリソースブロックの第１レイヤから第４レイヤ内の復調用参照信号が時間軸の正方向（Ｔ１→Ｔ２→Ｔ３→Ｔ４の方向）に直交行列Ａ３の第１のチップの列から第４のチップの列でそれぞれ乗算されることであってもよい。
【０１５６】
詳細には、第２のサブキャリアＦ２の場合、リソースブロックの第１レイヤ内の復調用参照信号には、直交行列Ａ３の第１の行内の第１のチップの列から第４のチップの列［１，１，１，１］が時間軸の正の方向にそれぞれ乗算され、リソースブロックの第２レイヤ内の復調用参照信号には、直交行列Ａ３の第２の行内の第１のチップの列から第４のチップの列［１，−１，１，−１］が時間軸の正の方向にそれぞれ乗算され、リソースブロックの第３レイヤ内の復調用参照信号には、直交行列Ａ３の第３の行内の第１のチップの列から第４のチップの列［−ｊ，１，ｊ，−１］が時間軸の正の方向にそれぞれ乗算され、リソースブロック内の第４レイヤ内の復調用参照信号には、直交行列Ａ３の第４の行内の第１のチップの列から第４のチップの列［ｊ，１，−ｊ，−１］が時間軸の正の方向にそれぞれ乗算される。
【０１５７】
第３のサブキャリアＦ３上のリソースブロックの第１レイヤから第４レイヤ内の復調用参照信号に対して、第１のサブキャリアＦ１上のリソースブロックの第１レイヤから第４レイヤ内の復調用参照信号の動作と同じ動作が繰り返される。
【０１５８】
本実施形態の実装形態によれば、時間領域の基地局の送信電力のジッタの問題を効果的に解決することが可能である。一方、このマッピング方法は、時間領域および周波数領域で双対直交性を有し、3GPP LTE Release-9標準の前方互換性を維持することが可能である。特に、基地局側の電力増幅器の利用効率が改善される。
【０１５９】
（実施の形態７）
図２４は、本開示の実施の形態７による図を示す。
【０１６０】
実施の形態７は、実施の形態１と完全に等しい一実施形態である。図２４に示されるように、実施の形態１と完全に対称的な他の実施形態は、図１５の各行列の位置を調整することにより得られる。例えば、第１のリソースブロックＲＢ１の第１のサブキャリアＦ１および第３のサブキャリアＦ３に対応する行列を第２のリソースブロックＲＢ２の第２のサブキャリアＦ２に対応する行列と置換して、リソースブロックＲＢ１の第２のサブキャリアＦ２に対応する行列を第２のリソースブロックＲＢ２の第１のサブキャリアＦ１に対応する行列によって置換する。一方、第２のリソースブロックＲＢ２の第１のサブキャリアＦ１および第３のサブキャリアＦ３に対応する行列を第１のリソースブロックＲＢ１の第２のサブキャリアＦ２に対応する行列によって置換して、第２のリソースブロックＲＢ２の第２のサブキャリアＦ２に対応する行列を第１のリソースブロックＲＢ１の第１のサブキャリアＦ１に対応する行列Ｃによって置換する。各サブキャリア上のリソースブロックの第１レイヤから第４レイヤ内の復調用参照信号に関して、実施の形態１の動作と同じ動作が繰り返され、その結果、実施の形態１と同じ効果を取得することが可能である。特定の詳細は、本明細書においてこれ以上説明されない。
【０１６１】
（実施の形態８）
上述された各実施の形態はすべて、ＬＴＥ−Ａシステムの通常のサブフレーム構造に関して設定されている。ＬＴＥ−Ａシステムでは、ある種の特別なサブフレーム構造、すなわち、拡張循環プレフィックス（Extended Cyclic Prefix：ECP）を有するサブフレームが存在する。
【０１６２】
図２５は、ECPを有するサブフレームを示す図である。
【０１６３】
図２５に示されるサブフレームと図３に示されるサブフレーム構造との間の主な違いは、図３に示されるサブフレーム構造においてリソースブロックＲＢが１４個のＯＦＤＭシンボルを含むのに対して、ECPを有するサブフレームにおいてリソースブロックＲＢが１２個のＯＦＤＭシンボルのみを有する点である。ECPを有するサブフレーム内の復調用参照信号（ＤＭＲＳ）の考えられる位置が図２５に提示されている。図８と異なるのは、図８では、１個のＯＦＤＭシンボルは３個のＤＭＲＳだけを含むのに対して、図２５では、１個のＯＦＤＭシンボルは４個のＤＭＲＳを含む点である。
【０１６４】
周波数領域の復調用参照信号の密度は異なる（３から４に変更される）。これは、直交符号多重ＤＭＲＳのマッピングも異なることを決定する。実際には、図１２に示される行列Ｃおよび行列Ｅを使用することによって、図２５に示される復調用参照信号の直交符号マッピング方式を同様に取得することが可能である。
【０１６５】
図２６は、図２５に示される復調用参照信号の直交符号マッピング方式を示す。
【０１６６】
図２６に示されるように、第１のサブキャリアＦ１上のリソースブロックの第１レイヤから第４レイヤ内の復調用参照信号の場合、直交行列Ａの最後の２個行内のチップは、（図１２に示されるように）直交行列Ｃを取得するために、時間軸の正方向に１列だけ循環シフトされる。第１のサブキャリアＦ１上のリソースブロックの第１レイヤから第４レイヤ内の復調用参照信号は、時間軸の正方向（Ｔ１→Ｔ２→Ｔ３→Ｔ４の方向）に直交行列Ｃの第１のチップの列から第４のチップの列でそれぞれ乗算される。
【０１６７】
詳細には、第１のサブキャリアＦ１の場合、リソースブロックの第１レイヤ内の復調用参照信号には、直交行列Ｃの第１の行内の第１のチップの列から第４のチップの列［１，１，１，１］が時間軸の正方向にそれぞれ乗算され、リソースブロックの第２レイヤ内の復調用参照信号には、直交行列Ｃの第２の行内の第１のチップの列から第４のチップの列［１，−１，１，−１］が時間軸の正方向にそれぞれ乗算され、リソースブロックの第３レイヤ内の復調用参照信号には、直交行列Ｃの第３の行内の第１チップの列から第４のチップの列［−１，１，１，−１］が時間軸の正方向にそれぞれ乗算され、リソースブロックの第４レイヤ内の復調用参照信号には、直交行列Ｃの第４の行内の第１のチップの列から第４のチップの列［１，１，−１，−１］が時間軸の正方向にそれぞれ乗算される。
【０１６８】
第２のサブキャリアＦ２上のリソースブロックの第１レイヤから第４レイヤ内の復調用参照信号の場合、直交行列Ａの最後の２行内のチップは、（図１２に示されるように）直交行列Ｃを取得するために、時間軸の正方向に１列だけ循環シフトされる。第２のサブキャリアＦ２上のリソースブロックの第１レイヤから第４レイヤ内の復調用参照信号は、時間軸の逆方向（Ｔ４→Ｔ３→Ｔ２→Ｔ１の方向）に直交行列Ｃの第１のチップの列から第４のチップの列でそれぞれ乗算される。
【０１６９】
詳細には、第２のサブキャリアＦ２の場合、リソースブロックの第１レイヤ内の復調用参照信号には、直交行列Ｃの第１の行内の第１のチップの列から第４のチップの列［１，１，１，１］が時間軸の逆方向にそれぞれ乗算され、リソースブロックの第２レイヤ内の復調用参照信号には、直交行列Ｃの第２の行内の第１のチップの列から第４のチップの列［１，−１，１，−１］が時間軸の逆方向にそれぞれ乗算され、リソースブロックの第３レイヤ内の復調用参照信号には、直交行列Ｃの第３の行内の第１のチップの列から第４のチップの列［−１，１，１，−１］が時間軸の逆方向にそれぞれ乗算され、リソースブロックの第４レイヤ内に復調用参照信号には、直交行列Ｃの第４の行内の第１のチップの列から第４のチップの列［１，１，−１，−１］が時間軸の逆方向にそれぞれ乗算される。
【０１７０】
第３のサブキャリアＦ３のリソースブロックの第１レイヤから第４レイヤ内の復調用参照信号の場合、直交行列Ａの最後の２行内のチップは、（図１２に示されるように）直交行列Ｅを取得するために、時間軸の逆方向に１列だけ循環シフトされる。第３のサブキャリアＦ３上のリソースブロックの第１レイヤから第４レイヤ内の復調用参照信号は、時間軸の正方向（Ｔ１→Ｔ２→Ｔ３→Ｔ４の方向）に直交行列Ｅの第１のチップの列から第４のチップの列でそれぞれ乗算される。
【０１７１】
詳細には、第３のサブキャリアＦ３の場合、リソースブロックの第１レイヤ内の復調用参照信号には、直交行列Ｅの第１の行内の第１のチップの列から第４のチップの列［１，１，１，１］が時間軸の正方向にそれぞれ乗算されて、リソースブロックの第２レイヤ内の復調用参照信号には、直交行列Ｅの第２の行内の第１のチップの列から第４のチップの列［１，−１，１，−１］が時間軸の正方向にそれぞれ乗算され、リソースブロックの第３レイヤ内の復調用参照信号には、直交行列Ｅの第３の行内の第１のチップの列から第４のチップの列［１，−１，−１，１］が時間軸の正方向にそれぞれ乗算され、リソースブロックの第４レイヤ内の復調用参照信号には、直交行列Ｅの第４の行内の第１のチップの列から第４のチップの列［−１，−１，１，１］が時間軸の正方向にそれぞれ乗算される。
【０１７２】
第４のサブキャリアＦ４上のリソースブロックの第１レイヤから第４レイヤ内の復調用参照信号の場合、直交行列Ａの最後の２行内チップは、（図１２に示されるように）直交行列Ｅを取得するために、時間軸の逆方向に１列だけ循環シフトされる。第４のサブキャリアＦ４上のリソースブロックの第１レイヤから第４レイヤ内の復調用参照信号は、時間軸の逆方向（Ｔ４→Ｔ３→Ｔ２→Ｔ１の方向）に直交行列Ｅの第１のチップの列から第４のチップの列でそれぞれ乗算される。
【０１７３】
詳細には、第４のサブキャリアＦ４の場合、リソースブロックの第１レイヤ内の復調用参照信号には、直交行列Ｅの第１の行内の第１のチップの列から第４のチップの列［１，１，１，１］が時間軸の逆方向にそれぞれ乗算され、リソースブロックの第２レイヤ内の復調用参照信号には、直交行列Ｅの第２の行内の第１のチップの列から第４のチップの列［１，−１，１，−１］が時間軸の逆方向にそれぞれ乗算され、リソースブロックの第３レイヤ内の復調用参照信号には、直交行列Ｅの第３の行内の第１のチップの列から第４のチップの列［１，−１，−１，１］が時間軸の逆方向にそれぞれ乗算され、リソースブロックの第４レイヤ内の復調用参照信号には、直交行列Ｅの第４の行内の第１のチップの列から第４のチップの列［−１，−１，１，１］が時間軸の逆方向にそれぞれ乗算される。
【０１７４】
図２６では、直交符号に関するマッピング方式は、隣接するリソースブロックＲＢに及ばなくてよい。サブキャリアＦ１〜Ｆ４上のＤＭＲＳの電力が重畳するとき、Ｔ１〜Ｔ４の４個のＯＦＤＭシンボル上のエネルギーが等しいことを検証することは非常に容易である。したがって、ピーク電力は、良好に平均化される。
【０１７５】
第１レイヤから第４レイヤのＤＭＲＳマッピングに関する設計だけが本実施形態で説明されている。第２の実施形態における第５レイヤから第８レイヤ内のＤＭＲＳのマッピング方式は、ECPを有する例に容易に適用される。
【０１７６】
本開示の上記の実施形態は、単なる例示的な説明であり、その特定の構造および動作は、本開示の範囲を限定しない。当業者は、本開示の概念と等しく一致する新しい実施形態を生み出すために上記のそれぞれの実施形態の異なる部分および動作を組み換えることが可能である。
【０１７７】
本開示の実施形態は、ハードウェア、ソフトウェア、およびファームウェア、またはそれらの組合せによって実施可能であり、実施の方法は、本開示の範囲を限定しない。
【０１７８】
本開示の実施形態内のそれぞれの機能要素（機能ユニット）同士の間の接続関係は、１つもしくは複数の（１つもしくは複数の）機能要素または（１つもしくは複数の）機能ユニットが任意の他の機能要素を含むことが可能であるか、あるいは任意の他の機能要素に接続可能な本開示の範囲を限定しない。
【０１７９】
本開示のいくつかの実施形態は、上で添付の図面と組み合わせて示され、説明されているが、当業者は、本開示の原理および趣旨から逸脱せずに、本開示の請求項の範囲およびその均等物に依然として包含される改変ならびに修正をこれらの実施形態に行うことが可能である点を理解されたい。
【図１】
0005475186.tif 000010
【図２】
0005475186.tif 000011
【図３】
0005475186.tif 000012
【図４】
0005475186.tif 000013
【図５】
0005475186.tif 000014
【図６】
0005475186.tif 000015
【図７】
0005475186.tif 000016
【図８】
0005475186.tif 000017
【図９】
0005475186.tif 000018
【図１０】
0005475186.tif 000019
【図１１】
0005475186.tif 000020
【図１２】
0005475186.tif 000021
【図１３】
0005475186.tif 000022
【図１４】
0005475186.tif 000023
【図１５】
0005475186.tif 000024
【図１６】
0005475186.tif 000025
【図１７】
0005475186.tif 000026
【図１８】
0005475186.tif 000027
【図１９】
0005475186.tif 000028
【図２０】
0005475186.tif 000029
【図２１】
0005475186.tif 000030
【図２２】
0005475186.tif 000031
【図２３】
0005475186.tif 000032
【図２４】
0005475186.tif 000033
【図２５】
0005475186.tif 000034
【図２６】
0005475186.tif 000035